(57)【特許請求の範囲】
【請求項１】
直交座標が設定された表示画面を有し、
少なくとも上顎側歯牙列の頬側面画像および舌側面画像が、互いの咬合面が対向するようにして配置され、当該頬側面画像および舌側面画像の間に咬合面画像が配置され、頬側面画像の咬合面画像とは反対側には歯根画像が配置される上顎側歯牙列展開図が表示される上顎側歯牙列展開図表示領域と、上顎側歯牙列展開図と同様にして構成される下顎側歯牙列展開図が表示される下顎側歯牙列展開図表示領域とを、前記上顎側歯牙列展開図の舌側面画像と下顎側歯牙列展開図の舌側面画像とが互いに対向するようにして、かつ上顎側歯牙列展開図表示領域が上方となるようにして、さらに設定された直交座標のうちの水平方向の座標に沿って付された目盛りに沿うようにして各歯牙を前記表示画面に目視表示することを特徴とする歯科関連情報表示装置。
【請求項２】
前記上顎側歯牙列展開図表示領域と下顎側歯牙列展開図表示領域との間に、歯牙に対応付けられた歯牙番号が表示される歯牙番号表示領域を表示することを特徴とする請求項１記載の歯科関連情報表示装置。
【請求項３】
前記歯牙番号は、歯牙列全体、上顎歯牙列、下顎歯牙列、上顎右歯牙列、上顎左歯牙列、下顎左歯牙列、下顎右歯牙列、上顎右臼歯列、上顎前歯列、上顎左臼歯列、下顎左臼歯列、下顎前歯列、下顎右臼歯列および各歯牙を表す番号であり、
上顎歯牙列、下顎歯牙列、上顎右歯牙列、上顎左歯牙列、下顎左歯牙列、下顎右歯牙列の番号と、上顎右臼歯列、上顎前歯列、上顎左臼歯列、下顎左臼歯列、下顎前歯列、下顎右臼歯列の番号と、各歯牙の番号とが、対応する上顎側および下顎側歯牙列展開図にこの順番にそれぞれ近接して配置にされ、かつ歯牙列全体の番号が最上方となるようにして配置され、
歯牙列全体、上顎歯牙列、下顎歯牙列、上顎右歯牙列、上顎左歯牙列、下顎左歯牙列、下顎右歯牙列の番号は、ほぼ中央に表示され、
上顎右臼歯列、上顎前歯列、上顎左臼歯列、下顎左臼歯列、下顎前歯列、下顎右臼歯列の番号は、これらの歯牙列のほぼ中央部に表示され、
各歯牙の番号は前記目盛り毎に表示されることを特徴とする請求項２記載の歯科関連情報表示装置。
【請求項４】
前記歯牙関連情報表示装置は、前記上顎側歯牙列展開図表示領域および下顎側歯牙列展開図表示領域に代わって、歯牙の撮影画像が表示される撮影画像表示領域を表示することを特徴とする請求項１記載の歯科関連情報表示装置。
【請求項５】
前記歯牙関連情報表示装置は、撮影画像表示領域に加えて、
外部の歯科関連情報測定装置からの測定結果が表示される測定結果表示領域を表示することを特徴とする請求項４記載の歯科関連情報表示装置。
【請求項６】
前記歯牙関連情報表示装置は、前記上顎側歯牙列展開図表示領域および下顎側歯牙列展開図表示領域、または撮影画像表示領域に加えて、
１本の歯冠の展開図を拡大して示す拡大歯冠画像表示領域と、
歯牙所見情報を画像で表す複数のアイコンが表示されるアイコン表示領域とを表示すること特徴とする請求項１または４記載の歯科関連情報表示装置。
【請求項７】
前記拡大歯冠画像表示領域に表示される１本の歯冠の展開図には、歯冠全体、咬合面、近心面、遠心面、頬側面、舌側面、近心歯肉面、遠心歯肉面、頬側歯肉面および舌側歯肉面の部位にそれぞれ予め定められる番号が付されており、
前記アイコン表示領域に表示されるアイコンには、予め定められる番号が付されていることを特徴とする請求項６記載の歯科関連情報表示装置。
【請求項８】
前記歯牙関連情報表示装置は、前記上顎側歯牙列展開図表示領域、下顎側歯牙列展開図表示領域、拡大歯冠画像表示領域およびアイコン表示領域に加えて、
拡大歯冠画像表示領域に表示される１本の歯冠の展開図に付された番号を説明する文字列、およびアイコン表示領域に表示されるアイコンに付された番号を説明する文字列が表示される文字列表示領域を表示すること特徴とする請求項７記載の歯科関連情報表示装置。
【請求項９】
前記文字列表示領域に表示される文字列にそれぞれ予め定められる番号が付されていることを特徴とする請求項８記載の歯科関連情報表示装置。
【請求項１０】
前記歯科関連情報表示装置は、歯牙番号表示領域に表示される歯牙番号、拡大歯冠画像表示領域に表示される１本の歯冠の展開図の各部位に付された番号、アイコン表示領域に表示されるアイコンに付された番号および文字列表示領域に表示される文字列に付された番号のうちのいずれかの番号を指定するための操作パネルを有することを特徴とする請求項２記載の歯科関連情報表示装置。
【請求項１１】
操作パネルからの入力に対応して歯牙が特定されることを特徴とする請求項１０記載の歯科関連情報表示装置。
【請求項１２】
操作パネルから入力された番号に対応して歯冠の部位が特定されることを特徴とする請求項１０記載の歯科関連情報表示装置。
【請求項１３】
操作パネルから入力された番号に対応したアイコンおよび文字列が特定され、特定されたアイコンの画像が所定の歯牙の所定の部位に挿入されることを特徴とする請求項１０記載の歯科関連情報表示装置。
【請求項１４】
直交座標が設定された表示領域に、少なくとも上顎側歯牙列の頬側面画像および舌側面画像が、互いの咬合面が対向するようにして配置され、当該頬側面画像および舌側面画像の間に咬合面画像が配置され、頬側面画像の咬合面画像とは反対側には歯根画像が配置される上顎側歯牙列展開図と、上顎側歯牙列展開図と同様にして構成される下顎側歯牙列展開図とを、上顎側歯牙列展開図の舌側面画像と下顎側歯牙列展開図の舌側面画像とが互いに対向するようにして、かつ上顎側歯牙列展開図が上方となるようにして、さらに設定された直交座標のうちの水平方向の座標に沿って付された目盛りに沿うようにして各歯牙を前記表示領域に目視表示させることを特徴とする歯科関連情報の表示方法。
【請求項１５】
前記表示領域であって、上顎側歯牙列展開図と下顎側歯牙列展開図との間に歯牙に対応付けられた歯牙番号を表示し、さらに歯冠全体、咬合面、近心面、遠心面、頬側面、舌側面、近心歯肉面、遠心歯肉面、頬側歯肉面および舌側歯肉面の部位にそれぞれ予め定められる番号が付された１本の歯冠の展開図を拡大して示す拡大歯冠画像と、予め定められる番号が付された歯牙所見情報を画像で表す複数のアイコンとを目視表示させ、
前記歯牙番号、各部位に付された番号、およびアイコンに付された番号のうちのいずれかの番号を指定するための予め定める操作パネルからの入力に従って、指定された歯牙の指定された部位にアイコンの画像を挿入して目視表示させることを特徴とする請求項１４記載の歯科関連情報の表示方法。
【請求項１６】
前記操作パネルは、少なくとも数値キーを有し、
前記歯科関連情報表示装置は、
医療機関内の予め定められる複数の区域でそれぞれ実施される、患者の登録などを行うための受付処理、患者に医療情報を開示するための情報開示処理、診療結果などを登録するための診査・治療処理、診療に対する費用計算などを行うための会計処理、医療機関に所属する雇用者の賃金や雇用条件などを登録する運営・管理処理、外部機関との間で医療情報の通信を行うための通信処理などの複数の処理手順のうちの少なくとも１つの処理手順が記憶される動作記憶手段と、
動作記憶手段に記憶された複数の処理手順の中からメイン処理を選択して、数値に対応付けて記憶し、メイン処理に従属する予め定められるサブ処理を動作記憶手段に記憶された複数の処理手順の中から選択して、数値に対応付けて記憶する処理用記憶手段とを含み、
処理用記憶手段に記憶されたメイン処理を表すメイン文字列を、対応付けられた数値と共に文字列に平行に表示し、処理用記憶手段に記憶されたサブ処理を表すサブ文字列を、対応付けられた数値と共に文字列に直交して目視表示し、さらに
処理実行時には、メイン文字列と数値とを表示させ、操作パネルから数値入力があると、入力された数値に対応付けられたメイン処理に従属するサブ処理のサブ文字列と数値とを表示させる制御手段とを含むことを特徴とする請求項１０記載の歯科関連情報表示装置。
【請求項１７】
前記操作パネルは数値キーとして０から９までの数値キーを有し、
前記メイン処理およびサブ処理として最大１０個の処理手順が選ばれて処理用記憶手段に記憶されることを特徴とする請求項１６記載の歯科関連情報表示装置。
【請求項１８】
前記歯科関連情報表示装置は、少なくとも上顎側歯牙列の頬側面画像および舌側面画像が、互いの咬合面が対向するようにして配置され、当該頬側面画像および舌側面画像の間に咬合面画像が配置され、頬側面画像の咬合面画像とは反対側には歯根画像が配置される上顎側歯牙列展開図と、上顎側歯牙列展開図と同様にして構成される下顎側歯牙列展開図とを、前記上顎側歯牙列展開図の舌側面画像と下顎側歯牙列展開図の舌側面画像とが互いに対向するようにして、かつ上顎側歯牙列展開図が上方となるようにして配置される歯牙列展開図を表示するための歯牙列展開図データを記憶する展開図データ記憶手段を有し、
前記制御手段は、診査・治療処理が選択されたときには、前記展開図データ記憶手段から歯牙列展開図データを読み出して、歯牙列展開図を表示させることを特徴とする請求項１６記載の歯科関連情報表示装置。
【請求項１９】
前記歯牙番号は、歯牙列全体、上顎歯牙列、下顎歯牙列、上顎右歯牙列、上顎左歯牙列、下顎左歯牙列、下顎右歯牙列、上顎右臼歯列、上顎前歯列、上顎左臼歯列、下顎左臼歯列、下顎前歯列、下顎右臼歯列および各歯牙を表す番号であり、
上顎歯牙列、下顎歯牙列、上顎右歯牙列、上顎左歯牙列、下顎左歯牙列、下顎右歯牙列の番号と、上顎右臼歯列、上顎前歯列、上顎左臼歯列、下顎左臼歯列、下顎前歯列、下顎右臼歯列の番号と、各歯牙の番号とが、対応する上顎側および下顎側歯牙列展開図にこの順番にそれぞれ近接して配置にされ、かつ歯牙列全体の番号が最上方となるようにして配置され、
歯牙列全体、上顎歯牙列、下顎歯牙列、上顎右歯牙列、上顎左歯牙列、下顎左歯牙列、下顎右歯牙列の番号は、ほぼ中央に表示され、
上顎右臼歯列、上顎前歯列、上顎左臼歯列、下顎左臼歯列、下顎前歯列、下顎右臼歯列の番号は、これらの歯牙列のほぼ中央部に表示され、
各歯牙の番号は各歯牙毎に表示されることを特徴とする請求項１８記載の歯科関連情報表示装置。
【請求項２０】
前記歯科関連情報表示装置は、１本の歯冠の展開図を拡大して示す拡大歯冠画像を表示するための拡大歯冠画像データを記憶する拡大歯冠画像データ記憶手段と、
歯牙所見情報を画像で表す複数のアイコンを表示するためのアイコンデータを記憶するアイコンデータ記憶手段とを有し、
前記制御手段は、診査・治療処理が選択されたときには、歯牙列展開図を表示させるとともに、前記拡大歯冠画像データ記憶手段から拡大歯冠画像データを読み出して表示させ、前記アイコンデータ記憶手段からアイコンデータを読み出して、数値に対応付けて前記処理用記憶手段に記憶し、対応付けられた数値と共にアイコンを表示させることを特徴とする請求項１７記載の歯科関連情報表示装置。
【請求項２１】
前記制御手段は、前記アイコンデータ記憶手段から最大１０個のアイコンデータを読み出して、０から９までの数値に対応付けて前記処理用記憶手段に記憶することを特徴とする請求項２０記載の歯科関連情報表示装置。
【請求項２２】
前記拡大歯冠画像の１本の歯冠の展開図には、歯冠全体、咬合面、近心面、遠心面、頬側面、舌側面、近心歯肉面、遠心歯肉面、頬側歯肉面および舌側歯肉面の部位にそれぞれ予め定められる番号が付されており、
前記アイコンには、予め定められる番号が付されていることを特徴とする請求項２０記載の歯科関連情報表示装置。
【請求項２３】
前記歯科関連情報表示装置は、１本の歯冠の各部位を説明する文字列および歯牙所見情報を表す複数の文字列を表示するための文字列データを記憶する文字列データ記憶手段を有し、
前記制御手段は、診査・治療処理が選択されたときには、読み出された前記拡大歯冠画像データおよびアイコンデータに対応する文字列データを前記文字列データ記憶手段から読み出して、数値に対応付けて前記処理用記憶手段に記憶すると共に、対応付けられた数値と共に文字列を表示させることを特徴とする請求項２２記載の歯科関連情報表示装置。
【請求項２４】
前記歯科関連情報表示装置は、歯牙の撮影画像を読み取る画像読取手段と、
前記画像読取装置によって読み取られた画像データを記憶する画像データ記憶手段とを有し、
前記制御手段は、診査・治療処理が選択されたときには、前記画像データ記憶手段から画像データを読み出して、歯牙列展開図に代わって歯牙の撮影画像を表示させることを特徴とする請求項２０記載の歯科関連情報表示装置。
【請求項２５】
前記歯科関連情報表示装置は、外部の歯科関連情報測定装置からの測定結果が入力される測定結果入力手段と、
入力された測定結果データを記憶する測定結果データ記憶手段とを有し、
前記制御手段は、診査・治療処理が選択されたときには、前記測定結果データ記憶手段から測定結果データを読み出して、歯牙の撮影画像に加えて測定結果を表示させることを特徴とする請求項２４記載の歯科関連情報表示装置。
【請求項２６】
前記操作パネルは、歯牙番号部分に表示されるカーソルの移動を指示するカーソルキーを有し、
前記制御手段は、前記カーソルキーの操作によって歯牙が指定されると、指定された歯牙の歯牙番号表示部分を指定されなかった歯牙の番号表示部分とは異なる表示色で表示させることを特徴とする請求項１９記載の歯科関連情報表示装置。
【請求項２７】
前記歯科関連情報表示装置は、歯牙所見情報を患者毎に記憶する患者情報記憶手段を有し、
前記制御手段は、操作パネルの数値キーから数値入力があると、所定の歯牙の入力された数値に対応付けられた部位を指定し、さらに操作パネルの数値キーから数値入力があると、所定の歯牙の所定の部位に、入力された数値に対応付けられたアイコン画像を挿入するとともに、当該アイコン画像で表される歯牙所見情報を所定の歯牙の指定された部位に対応付けて患者情報記憶手段に記憶させることを特徴とする請求項２２記載の歯科関連情報表示装置。
【請求項２８】
前記患者情報記憶手段は、歯牙所見情報を含む歯科関連情報を患者毎にかつ記憶された順番に蓄積して記憶し、
前記制御手段は、前記患者情報記憶手段に記憶された１患者に対する全ての歯科関連情報を一括して表示させることを特徴とする請求項２７記載の歯科関連情報表示装置。
【請求項２９】
前記歯牙所見情報は、クラウン、インレー、インプラントなどの歯牙補綴情報、歯石付着度、歯肉後退度、歯牙のサイズ、歯牙の欠損状態、う蝕度などを含む歯科に関する全目視診断情報、根管長測定結果、歯牙動揺度、歯髄診断結果、盲のう測定結果などの電気的診断情報の中から選ばれる少なくとも１つの情報であることを特徴とする請求項２０記載の歯科関連情報表示装置。
【請求項３０】
前記制御手段は、特定の処理が選択されたときに、他の処理の実行時において登録されたデータがあるか否かを表す登録データ有無情報を表示することを特徴とする請求項１６記載の歯科関連情報表示装置。
【請求項３１】
前記操作パネルは複数設けられ、医療機関内の予め定められる複数の区域でそれぞれ使用されることを特徴とする請求項１６記載の歯科関連情報表示装置。
【発明の詳細な説明】
【０００１】
【発明の属する技術分野】
本発明は、医療、特に歯科に関連する情報として、歯科診断データ、歯科治療データ、患者の個人データ、診療のスケジュールデータ、費用データなどを総合的に管理し、操作者が患者の診療を行いながら歯科関連情報を、迅速、かつ確実に入力することができ、また歯科関連情報を目視で容易に把握することができる歯科関連情報の表示方法および表示装置に関する。
【０００２】
【従来の技術】
従来技術における歯科関連情報表示装置としては、たとえば特開平２−１２１６５６号公報、特開平２−１２１６５７号公報に記載された医療情報管理システムが挙げられる。当該医療情報管理システムは、特に歯科に関する医療情報を管理するものであって、保険請求処理や診療に対する会計処理を行うことを前提として、歯牙の有無、病名などの歯牙毎のデータを管理するものである。前者では、歯牙の状態を容易に認識するために、歯牙の形状および状態を歯牙毎に円または多角形の各内部形状を変更して表示している。後者では、上述のように円または多角形の各内部形状を変更して表示するとともに、データ入力時または修正時に歯牙を指定するためにカーソルを併せて表示するようにしている。
【０００３】
また特開平１−２３８８５５号公報には、患者自身が自分の歯の症状を容易にかつ正しく理解するために、歯および歯に付随する部分の症状の基準画像情報に対して、患者の診療結果を示す色情報が付加されて出力される歯科診断システムが開示されている。
【０００４】
さらに特開平５−１６８６５４号公報には、歯牙患部の現状、予測される終末処置形態、治療段階毎の形態を表示して、患者が治療方法および終末処置を充分に理解できるようにした歯科総合画像システムが開示されている。
【０００５】
【発明が解決しようとする課題】
前記公報に記載の従来技術はいずれも、診療時において得られた歯牙の形状や状態を管理するシステムである。したがってたとえば、受付で患者が歯がしみるなどの症状を訴えていたとしても、そのような情報は前記システムには登録されていないので、診療時において、歯科医師は当該システムから患者の訴えなどは得ることができない。すなわち従来技術のシステムは、たとえば受付情報、診断・治療情報、会計情報などの歯科全体としての情報を管理するものではない。したがって、効率のよい医療業務の遂行ができないという問題がある。
【０００６】
また、前記公報に記載の従来技術では、歯牙の形状や状態を目視するための画像が表示されるけれども、表示される画像は歯牙を簡略化して示すものであり、また歯牙個々について示すものであるので、全歯牙の詳細な状態を一目で容易に把握することはできない。
【０００７】
さらに、歯牙の形状や状態を示すデータの入力は、医師が発音した音声情報をアシスタントが記録し、記録した情報に基づいてアルファベットキーや数値キーなどを有するフルキーボードを用いてキー入力する、またはマウスや入力ペンを用いて入力するのが一般的である。また、音声認識装置を備えることによって医師が直接入力することも可能である。しかしながら、前記フルキーボード、マウスおよび入力ペンを用いた入力は非常に手間のかかる作業である。
【０００８】
また、キーボードからデータ入力を行う従来技術では、いずれの場合においてもデータ入力時には、操作者は表示パネルに表示されるデータ入力用の画像を目視する必要がある。すなわち操作者は、データ入力用の画像を目視することによって、指定されたデータを入力すべき歯牙の位置が正しいか否かを判断する。このような目視による判断によって、歯牙の位置が正しいとされたときに初めてデータが入力される。上述のような表示画像を見るという動作を必要とすることは、入力操作の速度を低下させることとなる。たとえば、診療を行いながら得られた歯牙関連情報を入力しようとした場合であって、操作者が医師である場合には患者の患部から目を離さなければならず、医師の患者に対する注意力を減じることとなるので、診療をスムーズに行うことができず、このような入力方式は医療の現場には適さない。
【０００９】
本発明の目的は、医療、特に歯科に関連する情報を総合的に管理し、操作者が患者の診療を行いながら、患者への注意力を減じることなく、歯科関連情報を迅速かつ確実に入力することができ、また歯科関連情報を目視で容易に把握することができる歯科関連情報の表示方法および表示装置を提供することである。
【００１０】
【課題を解決するための手段】
本発明は、直交座標が設定された表示画面を有し、
少なくとも上顎側歯牙列の頬側面画像および舌側面画像が、互いの咬合面が対向するようにして配置され、当該頬側面画像および舌側面画像の間に咬合面画像が配置され、頬側面画像の咬合面画像とは反対側には歯根画像が配置される上顎側歯牙列展開図が表示される上顎側歯牙列展開図表示領域と、上顎側歯牙列展開図と同様にして構成される下顎側歯牙列展開図が表示される下顎側歯牙列展開図表示領域とを、前記上顎側歯牙列展開図の舌側面画像と下顎側歯牙列展開図の舌側面画像とが互いに対向するようにして、かつ上顎側歯牙列展開図表示領域が上方となるようにして、さらに設定された直交座標のうちの水平方向の座標に沿って付された目盛りに沿うようにして各歯牙を前記表示画面に表示することを特徴とする歯科関連情報表示装置である。
本発明に従えば、上述のような上顎側歯牙列展開図表示領域と下顎側歯牙列展開図表示領域とが上述のように配置されて表示され、歯牙が詳細に画像として描かれているので、操作者又は患者は歯牙の状態や歯牙関連情報を目視で容易に認識することができる。
【００１１】
また本発明は、前記上顎側歯牙列展開図表示領域と下顎側歯牙列展開図表示領域との間に、歯牙に対応付けられた歯牙番号が表示される歯牙番号表示領域を表示することを特徴とする。
本発明に従えば、歯牙番号が各歯牙の近傍に配置されるので、歯牙を確実に特定することができる。
【００１２】
また本発明の前記歯牙番号は、歯牙列全体、上顎歯牙列、下顎歯牙列、上顎右歯牙列、上顎左歯牙列、下顎左歯牙列、下顎右歯牙列、上顎右臼歯列、上顎前歯列、上顎左臼歯列、下顎左臼歯列、下顎前歯列、下顎右臼歯列および各歯牙を表す番号であり、
上顎歯牙列、下顎歯牙列、上顎右歯牙列、上顎左歯牙列、下顎左歯牙列、下顎右歯牙列の番号と、上顎右臼歯列、上顎前歯列、上顎左臼歯列、下顎左臼歯列、下顎前歯列、下顎右臼歯列の番号と、各歯牙の番号とが、対応する上顎側および下顎側歯牙列展開図にこの順番にそれぞれ近接して配置にされ、かつ歯牙列全体の番号が最上方となるようにして配置され、
歯牙列全体、上顎歯牙列、下顎歯牙列、上顎右歯牙列、上顎左歯牙列、下顎左歯牙列、下顎右歯牙列の番号は、ほぼ中央に表示され、
上顎右臼歯列、上顎前歯列、上顎左臼歯列、下顎左臼歯列、下顎前歯列、下顎右臼歯列の番号は、これらの歯牙列のほぼ中央部に表示され、
各歯牙の番号は前記目盛り毎に表示されることを特徴とする。
本発明に従えば、前記歯牙番号は、上述のように詳細に付されるので、各歯牙のみならず、歯牙列毎に分けて確実に特定することができる。
【００１３】
また本発明は、前記歯牙関連情報表示装置は、前記上顎側歯牙列展開図表示領域および下顎側歯牙列展開図表示領域に代わって、歯牙の撮影画像が表示される撮影画像表示領域を表示することを特徴とする。
本発明に従えば、このような撮影画像を見ることもでき、さらに歯牙の状態や歯牙関連情報を目視で容易に認識することができる。
【００１４】
また本発明は、前記歯牙関連情報表示装置は、撮影画像表示領域に加えて、
外部の歯科関連情報測定装置からの測定結果が表示される測定結果表示領域を表示することを特徴とする。
本発明に従えば、このような測定結果を見ることもでき、さらに歯牙の状態や歯牙関連情報を目視で容易に認識することができる。
【００１５】
また本発明は、前記歯牙関連情報表示装置は、前記上顎側歯牙列展開図表示領域および下顎側歯牙列展開図表示領域、または撮影画像表示領域に加えて、
１本の歯冠の展開図を拡大して示す拡大歯冠画像表示領域と、
歯牙所見情報を画像で表す複数のアイコンが表示されるアイコン表示領域とを表示すること特徴とする。
本発明に従えば、上顎側歯牙列および下顎側歯牙列、または撮影画像に加えて、１本の歯冠の展開図を拡大して示す拡大歯冠画像と歯牙所見情報を画像で表す複数のアイコンとが表示される。拡大歯冠画像によって歯冠の各部位を確実に特定することができる。またアイコンによって所見情報を認識することができる。
【００１６】
また本発明は、前記拡大歯冠画像表示領域に表示される１本の歯冠の展開図には、歯冠全体、咬合面、近心面、遠心面、頬側面、舌側面、近心歯肉面、遠心歯肉面、頬側歯肉面および舌側歯肉面の部位にそれぞれ予め定められる番号が付されており、
前記アイコン表示領域に表示されるアイコンには、予め定められる番号が付されていることを特徴とする。
本発明に従えば、拡大歯冠画像の各部位に付された予め定められる番号およびアイコンに付された予め定められる番号によって、歯冠の各部位の指定を数値で行うことができる。また、所見情報の入力を数値で行うことができる。
【００１７】
また本発明は、前記歯牙関連情報表示装置は、前記上顎側歯牙列展開図表示領域、下顎側歯牙列展開図表示領域、拡大歯冠画像表示領域およびアイコン表示領域に加えて、
拡大歯冠画像表示領域に表示される１本の歯冠の展開図に付された番号を説明する文字列、およびアイコン表示領域に表示されるアイコンに付された番号を説明する文字列が表示される文字列表示領域を表示すること特徴とする。
本発明に従えば、上顎側歯牙列、下顎側歯牙列、拡大歯冠画像およびアイコンに加えて、拡大歯冠画像表示領域に表示される１本の歯冠の展開図に付された番号を説明する文字列、およびアイコンに付された番号を説明する文字列が表示される。このような文字列を見ることによっても、歯冠の各部位を確実に特定することができる。またアイコンによって所見情報を認識することができる。
【００１８】
また本発明は、前記文字列表示領域に表示される文字列にそれぞれ予め定められる番号が付されていることを特徴とする。
本発明に従えば、文字列に付された予め定められる番号によって、所見情報の入力を数値で行うことができる。
【００１９】
また本発明は、前記歯科関連情報表示装置は、歯牙番号表示領域に表示される歯牙番号、拡大歯冠画像表示領域に表示される１本の歯冠の展開図の各部位に付された番号、アイコン表示領域に表示されるアイコンに付された番号および文字列表示領域に表示される文字列に付された番号のうちのいずれかの番号を指定するための操作パネルを有することを特徴とする。
本発明に従えば、前記操作パネルからの入力によって、歯牙番号表示領域に表示される歯牙を特定し、１本の歯冠の部位を特定し、アイコンおよび文字列を特定して所見情報を入力することができる。歯牙、歯冠の部位、アイコンおよび文字列が数値と対応付けられており、操作パネルの数値キーからの入力のみで、これらを特定することができる。操作者は、表示された画像を目視することなく、所望の部位に所見情報を入力することができ、操作性が著しく向上する。
【００２０】
また本発明は、操作パネルからの入力に対応して歯牙が特定されることを特徴とする。
本発明に従えば、操作パネルからの入力によって、歯牙を特定することができる。上述したのと同様に、操作者は表示画像を目視することなく、歯牙を特定することができる。
【００２１】
また本発明は、操作パネルから入力された番号に対応して歯冠の部位が特定されることを特徴とする。
本発明に従えば、操作パネルからの入力によって、歯冠の部位を特定することができる。上述したのと同様に、操作者は表示画像を目視することなく、歯冠の部位を特定することができる。
【００２２】
また本発明は、操作パネルから入力された番号に対応したアイコンおよび文字列が特定され、特定されたアイコンの画像が所定の歯牙の所定の部位に挿入されることを特徴とする。
本発明に従えば、操作パネルからの入力によって、アイコンおよび文字列を特定することができ、特定されたアイコンの画像を所定の歯牙の所定の部位に挿入することができる。上述したのと同様に、操作者は表示画像を目視することなく、アイコン画像を挿入することができる。
【００２３】
また本発明は、直交座標が設定された表示領域に、少なくとも上顎側歯牙列の頬側面画像および舌側面画像が、互いの咬合面が対向するようにして配置され、当該頬側面画像および舌側面画像の間に咬合面画像が配置され、頬側面画像の咬合面画像とは反対側には歯根画像が配置される上顎側歯牙列展開図と、上顎側歯牙列展開図と同様にして構成される下顎側歯牙列展開図とを、上顎側歯牙列展開図の舌側面画像と下顎側歯牙列展開図の舌側面画像とが互いに対向するようにして、かつ上顎側歯牙列展開図が上方となるようにして、さらに設定された直交座標のうちの水平方向の座標に沿って付された目盛りに沿うようにして各歯牙を前記表示領域に目視表示させることを特徴とする歯科関連情報の表示方法である。本発明に従えば、上述したような表示方法によって、上顎側歯牙列および下顎側歯牙列の歯牙を目盛りに沿って詳細に画像として表示することができる。
【００２４】
また本発明は、前記表示領域であって、上顎側歯牙列展開図と下顎側歯牙列展開図との間に歯牙に対応付けられた歯牙番号を表示し、さらに歯冠全体、咬合面、近心面、遠心面、頬側面、舌側面、近心歯肉面、遠心歯肉面、頬側歯肉面および舌側歯肉面の部位にそれぞれ予め定められる番号が付された１本の歯冠の展開図を拡大して示す拡大歯冠画像と、予め定められる番号が付された歯牙所見情報を画像で表す複数のアイコンとを目視表示させ、
前記歯牙番号、部位に付された番号、およびアイコンに付された番号のうちのいずれかの番号を指定するための予め定める操作パネルからの入力に従って、指定された歯牙の指定された部位にアイコンの画像を挿入して目視表示させることを特徴とする。
本発明に従えば、上述したような表示方法によって、前記歯牙を詳細に画像として表示するとともに、さらに歯牙番号、対応付けられた数値とともに拡大歯冠画像およびアイコンを表示することができ、また予め定める操作パネルからの入力によってアイコンの画像を指定した歯牙の指定した部位に挿入して表示することができる。
【００２５】
また本発明は、前記操作パネルは、少なくとも数値キーを有し、
前記歯科関連情報表示装置は、
医療機関内の予め定められる複数の区域でそれぞれ実施される、患者の登録などを行うための受付処理、患者に医療情報を開示するための情報開示処理、診療結果などを登録するための診査・治療処理、診療に対する費用計算などを行うための会計処理、医療機関に所属する雇用者の賃金や雇用条件などを登録する運営・管理処理、外部機関との間で医療情報の通信を行うための通信処理などの複数の処理手順のうちの少なくとも１つの処理手順が記憶される動作記憶手段と、
動作記憶手段に記憶された複数の処理手順の中からメイン処理を選択して、数値に対応付けて記憶し、メイン処理に従属する予め定められるサブ処理を動作記憶手段に記憶された複数の処理手順の中から選択して、数値に対応付けて記憶する処理用記憶手段とを含み、
処理用記憶手段に記憶されたメイン処理を表すメイン文字列を、対応付けられた数値と共に文字列に平行に表示し、処理用記憶手段に記憶されたサブ処理を表すサブ文字列を、対応付けられた数値と共に文字列に直交して目視表示し、さらに
処理実行時には、メイン文字列と数値とを表示させ、操作パネルから数値入力があると、入力された数値に対応付けられたメイン処理に従属するサブ処理のサブ文字列と数値とを表示させる制御手段とを含むことを特徴とする。
本発明に従えば、処理実行時には、医療機関内の予め定められる複数の区域でそれぞれ実施される、受付処理、情報開示処理、診査・治療処理、会計処理、運営・管理処理、通信処理などの複数の処理手順の中からメイン処理が選択されて数値に対応付けて処理用記憶手段に記憶され、メイン処理に従属する予め定められるサブ処理が前記複数の処理手順の中から選択されて、数値に対応付けて処理用記憶手段に記憶され、数値とメイン処理を表すメイン文字列とが表示される。操作者による操作パネルからの数値入力があると、入力された数値に対応付けられたメイン処理に従属するサブ処理を表すサブ文字列と数値とが表示される。
このように医療機関内の複数の区域でそれぞれ実施される複数の処理手順のうちの少なくとも２つの処理手順を記憶すると共に、選ばれたメイン処理やサブ処理は数値と対応付けられて記憶および表示される。操作者は、数値を入力することで、実行する処理を指定することができ、操作パネルは少なくとも数値キーを含んで構成されればよい。したがって、入力操作が非常に簡単となる。また、操作者が数値キーの配列を記憶すると、表示画面を目視することなく、たとえば患者に対して治療を施しながら、すなわち歯科で用いる場合では患者の患部を見ながら、実行する処理の指定を確実に行うことができる。このため、操作性が著しく向上し、また患者への治療を確実に行うことができる。また、メイン文字列は文字列に平行に表示され、サブ文字列は文字列に直交して表示されるので、操作者はメイン処理とサブ処理とを確実に区別して認識することができる。
【００２６】
また本発明は、前記操作パネルは数値キーとして０から９までの数値キーを有し、
前記メイン処理およびサブ処理として最大１０個の処理手順が選ばれて処理用記憶手段に記憶されることを特徴とする。
本発明に従えば、メイン処理およびサブ処理として最大１０個の処理手順が選ばれるので、前記操作パネルは数値キーとして０から９までの数値キーを有すればよい。このように１桁の数値と対応付けることによって、操作者が行う操作は非常に簡略化され、迅速な操作が可能となって、操作性が向上する。
【００２７】
また本発明は、前記歯科関連情報表示装置は、少なくとも上顎側歯牙列の頬側面画像および舌側面画像が、互いの咬合面が対向するようにして配置され、当該頬側面画像および舌側面画像の間に咬合面画像が配置され、頬側面画像の咬合面画像とは反対側には歯根画像が配置される上顎側歯牙列展開図と、上顎側歯牙列展開図と同様にして構成される下顎側歯牙列展開図とを、前記上顎側歯牙列展開図の舌側面画像と下顎側歯牙列展開図の舌側面画像とが互いに対向するようにして、かつ上顎側歯牙列展開図が上方となるようにして配置される歯牙列展開図を表示するための歯牙列展開図データを記憶する展開図データ記憶手段を有し、
前記制御手段は、診査・治療処理が選択されたときには、前記展開図データ記憶手段から歯牙列展開図データを読み出して、歯牙列展開図を表示させることを特徴とする。
本発明に従えば、診査・治療処理が選択されたときには、上述したような歯牙列展開図が表示される。歯牙列展開図には歯牙が詳細に画像として描かれているので、操作者または患者は、このような表示を見ることによって、歯牙の状態を容易に認識することができる。
【００２９】
また本発明の前記歯牙番号は、歯牙列全体、上顎歯牙列、下顎歯牙列、上顎右歯牙列、上顎左歯牙列、下顎左歯牙列、下顎右歯牙列、上顎右臼歯列、上顎前歯列、上顎左臼歯列、下顎左臼歯列、下顎前歯列、下顎右臼歯列および各歯牙を表す番号であり、
上顎歯牙列、下顎歯牙列、上顎右歯牙列、上顎左歯牙列、下顎左歯牙列、下顎右歯牙列の番号と、上顎右臼歯列、上顎前歯列、上顎左臼歯列、下顎左臼歯列、下顎前歯列、下顎右臼歯列の番号と、各歯牙の番号とが、対応する上顎側および下顎側歯牙列展開図にこの順番にそれぞれ近接して配置にされ、かつ歯牙列全体の番号が最上方となるようにして配置され、
歯牙列全体、上顎歯牙列、下顎歯牙列、上顎右歯牙列、上顎左歯牙列、下顎左歯牙列、下顎右歯牙列の番号は、ほぼ中央に表示され、
上顎右臼歯列、上顎前歯列、上顎左臼歯列、下顎左臼歯列、下顎前歯列、下顎右臼歯列の番号は、これらの歯牙列のほぼ中央部に表示され、
各歯牙の番号は各歯牙毎に表示されることを特徴とする。
本発明に従えば、上述のように歯牙番号が表示されるので、歯牙および歯牙列の特定を確実に行うことができる。
【００３０】
また本発明は、前記歯科関連情報表示装置は、１本の歯冠の展開図を拡大して示す拡大歯冠画像を表示するための拡大歯冠画像データを記憶する拡大歯冠画像データ記憶手段と、
歯牙所見情報を画像で表す複数のアイコンを表示するためのアイコンデータを記憶するアイコンデータ記憶手段とを有し、
前記制御手段は、診査・治療処理が選択されたときには、歯牙列展開図を表示させるとともに、前記拡大歯冠画像データ記憶手段から拡大歯冠画像データを読み出して表示させ、前記アイコンデータ記憶手段からアイコンデータを読み出して、数値に対応付けて前記処理用記憶手段に記憶し、対応付けられた数値と共にアイコンを表示させることを特徴とする。
本発明に従えば、診査・治療処理が選択されたときには、拡大歯牙画像、および対応付けられた数値と共に歯牙所見情報を画像で表す複数のアイコンが歯牙列展開図とともに表示される。歯牙所見情報は、このような拡大歯牙画像で歯冠の部位を特定し、アイコンを見ながら対応する数値キーを操作することによって入力することができる。操作者は、表示画像を目視することなく、アイコン画像を挿入することができ、操作性が著しく向上する。
【００３１】
また本発明は、前記制御手段は、前記アイコンデータ記憶手段から最大１０個のアイコンデータを読み出して、０から９までの数値に対応付けて前記処理用記憶手段に記憶することを特徴とする。
本発明に従えば、アイコンデータとして最大１０個のデータが選ばれるので、前記操作パネルは数値キーとして０から９までの数値キーを有すればよい。このように１桁の数値と対応付けることによって、操作者が行う操作は非常に簡略化され、迅速な操作が可能となって、操作性が向上する。
【００３２】
また本発明は、前記拡大歯冠画像の１本の歯冠の展開図には、歯冠全体、咬合面、近心面、遠心面、頬側面、舌側面、近心歯肉面、遠心歯肉面、頬側歯肉面および舌側歯肉面の部位にそれぞれ予め定められる番号が付されており、
前記アイコンには、予め定められる番号が付されていることを特徴とする。  本発明に従えば、このような拡大歯牙画像の歯冠の部位を特定し、アイコンを見ながら対応する数値キーを操作することによって所見情報を入力することができる。操作者は、表示画像を目視することなく、歯冠の部位を特定し、アイコン画像を挿入することができ、操作性が著しく向上する。
【００３３】
また本発明は、前記歯科関連情報表示装置は、１本の歯冠の各部位を説明する文字列および歯牙所見情報を表す複数の文字列を表示するための文字列データを記憶する文字列データ記憶手段を有し、
前記制御手段は、診査・治療処理が選択されたときには、読み出された前記拡大歯冠画像データおよびアイコンデータに対応する文字列データを前記文字列データ記憶手段から読み出して、数値に対応付けて前記処理用記憶手段に記憶すると共に、対応付けられた数値と共に文字列を表示させることを特徴とする。
本発明に従えば、診査・治療処理が選択されたときには、対応付けられた数値と共に歯牙所見情報を表す複数の文字列が表示される。歯牙所見情報は、このような文字列を見ながら対応する数値キーを操作することによって入力することができる。この場合も、操作者は表示画像を目視せずに、所望の入力を行うことができる。また、アイコン画像でわかりにくい所見情報は、このような文字列を目視することによって、確実に入力することができる。
【００３４】
また本発明は、前記歯科関連情報表示装置は、歯牙の撮影画像を読み取る画像読取手段と、
前記画像読取装置によって読み取られた画像データを記憶する画像データ記憶手段とを有し、
前記制御手段は、診査・治療処理が選択されたときには、前記画像データ記憶手段から画像データを読み出して、歯牙列展開図に代わって歯牙の撮影画像を表示させることを特徴とする。
本発明に従えば、診査・治療処理が選択されたときには、画像読取手段によって読み取られた画像データにしたがって、歯牙の撮影画像が歯牙列展開図に代わって表示される。歯牙の撮影画像は、たとえばＸ線撮影画像や写真撮影画像である。操作者または患者は、このような撮影画像を見ることも可能である。
【００３５】
また本発明は、前記歯科関連情報表示装置は、外部の歯科関連情報測定装置からの測定結果が入力される測定結果入力手段と、
入力された測定結果データを記憶する測定結果データ記憶手段とを有し、
前記制御手段は、診査・治療処理が選択されたときには、前記測定結果データ記憶手段から測定結果データを読み出して、歯牙の撮影画像に加えて測定結果を表示させることを特徴とする。
本発明に従えば、診査・治療処理が選択されたときには、測定結果入力手段から入力された測定結果データにしたがって、測定結果が表示される。操作者または患者は、前記撮影画像に加えてこのような測定結果を見ることも可能である。
【００３６】
また本発明は、前記操作パネルは、歯牙番号部分に表示されるカーソルの移動を指示するカーソルキーを有し、
前記制御手段は、前記カーソルキーの操作によって歯牙が指定されると、指定された歯牙の歯牙番号表示部分を指定されなかった歯牙の番号表示部分とは異なる表示色で表示させることを特徴とする。
本発明に従えば、操作パネルが有するカーソルキーによって歯牙が指定されると、指定された歯牙の歯牙番号が指定されなかった歯牙の番号とは異なる表示色で表示される。したがって、指定された歯牙とそうでない歯牙とを目視で確実に識別することができる。
【００３７】
また本発明は、前記歯科関連情報表示装置は、歯牙所見情報を患者毎に記憶する患者情報記憶手段を有し、
前記制御手段は、操作パネルの数値キーから数値入力があると、所定の歯牙の入力された数値に対応付けられた部位を指定し、さらに操作パネルの数値キーから数値入力があると、所定の歯牙の所定の部位に、入力された数値に対応付けられたアイコン画像を挿入するとともに、当該アイコン画像で表される歯牙所見情報を所定の歯牙の指定された部位に対応付けて患者情報記憶手段に記憶させることを特徴とする。
本発明に従えば、操作パネルの数値キーから数値入力を行うと、所定の歯牙の入力された数値に対応付けられた部位が指定される。さらに数値キーから数値入力を行うと、入力された数値に対応付けられたアイコンと同じ画像が前記展開図中の所定の歯牙の指定された部位に表示される。また、前記アイコン画像で表される歯牙所見情報が患者毎に所定の歯牙の指定された部位に対応付けて記憶される。操作者はこのようにして歯牙の部位を特定し、アイコン画像を表示させることができる。操作者はこのようなアイコンで表示された所見情報によって、たとえばう蝕の程度などを目視で容易に確認することができる。また記憶された情報は、今後の治療方針などを決定するために有効に用いることができる。
【００３８】
また本発明は、前記患者情報記憶手段は、歯牙所見情報を含む歯科関連情報を患者毎にかつ記憶された順番に蓄積して記憶し、
前記制御手段は、前記患者情報記憶手段に記憶された１患者に対する全ての歯科関連情報を一括して表示させることを特徴とする。
本発明に従えば、前記患者毎の所見情報を含む歯科関連情報は、記憶された順番に蓄積して記憶され、また１患者に対する全ての歯科関連情報は一括して表示される。このような一括して表示される情報に基づいて、歯科医師は今までの治療の履歴を知ることができるとともに、今後の治療方針などの治療計画を立てることができる。
【００３９】
また本発明は、前記歯牙所見情報は、クラウン、インレー、インプラントなどの歯牙補綴情報、歯石付着度、歯肉後退度、歯牙のサイズ、歯牙の欠損状態、う蝕度などを含む歯科に関する全目視診断情報、根管長測定結果、歯牙動揺度、歯髄診断結果、盲のう測定結果などの電気的診断情報の中から選ばれる少なくとも１つの情報であることを特徴とする。
本発明に従えば、歯牙所見情報としては上述したような歯牙補綴情報、目視診断情報、電気的診断情報の中からが選ばれ、このような情報を前記展開図中に表示させて、操作者または患者に認識させることができる。
【００４０】
また本発明は、前記制御手段は、特定の処理が選択されたときに、他の処理の実行時において登録されたデータがあるか否かを表す登録データ有無情報を表示することを特徴とする。
本発明に従えば、上述のような登録データ有無情報が表示されるので、たとえば診査・治療処理の実行時において、受付処理を実行したときに、たとえば歯がしみるなどの患者の訴えがあったかどうかを操作者は知ることができる。登録データ有無情報によって登録されたデータがあるときには、たとえば所定の操作を行うことによって、どのようなデータが登録されたかを表示して操作者に知らせることが可能である。
【００４１】
また本発明は、前記操作パネルは複数設けられ、医療機関内の予め定められる複数の区域でそれぞれ使用されることを特徴とする。
本発明に従えば、医療機関内の予め定められる複数の区域で操作パネルがそれぞれ使用される。したがって、たとえば受付や診察室で情報を共有して用いることができ、医療に係わる複数の処理を総合的に管理して、効率よく医療業務を遂行することが可能となる。
【００４２】
【発明の実施の形態】
図１は、本発明の実施の一形態である診療支援装置１の電気的構成を示すブロック図である。図２は、診療支援装置１が有する第１操作パネル４の外観を示す平面図である。本形態では、歯科において用いられる診療支援装置を例に説明する。診療支援装置１は、ＣＰＵ（中央演算処理装置）２、表示装置３、第１操作パネル４、第２操作パネル５、プリンタ６、読取装置７、動作用メモリ８、患者情報用メモリ９、動作データ編集用メモリ１０、診断データ入力装置４５、読取装置用メモリ４６、診断データ入力装置用メモリ４７、および表示用画像データメモリ４８を含んで構成される。
【００４３】
診療支援装置１は、少なくとも院内においてＬＡＮ（Ｌｏｃａｌ  Ａｒｅａ  Ｎｅｔｗｏｒｋ）を形成しており、少なくとも表示装置３および操作パネル４，５は複数個設けられ、院内の予め定められる複数の区域（エリア）、たとえば受付エリア、診察エリア、治療エリア、相談エリアなどにそれぞれ配置されて用いられる。なお、プリンタ６、読取装置７および診断データ入力装置４５を複数個設けても構わない。
【００４４】
表示装置３は、たとえば液晶表示装置で実現され、たとえばＲＯＭ（リードオンリメモリ）で実現される動作用メモリ８に記憶された各処理に従って読み出された表示用画像データメモリ４８に記憶された画像データが表示される。また表示された画像中に、第１および第２操作パネル４，５から入力されて、たとえばＲＡＭ（ランダムアクセスメモリ）で実現される患者情報用メモリ９に記憶された入力データを併せて表示する。さらに、たとえばＣＣＤ（電荷結合素子）センサーで実現される読取装置７によって読取られた、予め撮影された歯牙列のＸ線撮影画像や写真撮影画像などの撮影画像データを併せて表示する。前記読取装置７によって読取られたデジタル撮影画像データは、たとえばＲＡＭで実現される読取装置用メモリ４６に記憶される。またさらに、歯科用診断装置によって測定された根管長測定結果などの診断データが診断データ入力装置４５から入力されて表示装置３に表示される。入力された診断データは、診断データ入力装置用メモリ４７に記憶される。表示装置３に表示された画像は、プリンタ６によって印画出力される。
【００４５】
第１操作パネル４は、たとえば図２に示されるように、少なくとも０から９までの数値キーＡ０〜Ａ９、左右方向および上下方向のカーソルキーＡ１０〜Ａ１３、エンタキーＡ１４、ＥＳＣキーＡ１６、スラッシュキーＡ１７、ピリオドキーＡ１８、ファンクションキーＡ１９、ヘルプキーＡ２０、アスタリスクキーＡ２１、タブキーＡ２２、マイナスキーＡ２３およびプラスキーＡ２４が基台１１上に配置されて構成され、たとえばテンキーボードやデジタルキーボードなどと称される。患者に対して診療を行いながら診療結果などのデータを入力する操作者は、当該第１操作パネル４を用いてデータを入力する。なお、１〜９までの数値キーＡ１〜Ａ９には、後述する歯冠の部位に対応するアルファベットがそれぞれ付されている。たとえば、数値キーＡ１〜Ａ９の順に、「Ｏ」、「Ｍ」、「Ｄ」、「Ｆ」、「Ｌ」、「ＭＧ」、「ＤＧ」、「ＦＧ」、「ＬＧ」と付されている。
【００４６】
第２操作パネル５は、前記キーＡ０〜Ａ２４に加えて、ＡからＺまでのアルファベットキーなどを含むキーボードで実現される。たとえば患者の識別番号や住所などの個人データ、診療のスケジュールデータ、費用データを入力するような、患者に対して治療を行わないエリアおよび場面では、操作者は、当該第２操作パネル５からデータを入力する。
【００４７】
動作用メモリ８には、後述するような診療支援装置１が行う複数の処理手順が記憶される。ＣＰＵ２は、操作パネル４，５からの指示に基づいて動作用メモリ８に記憶された処理を実行する。このとき、たとえばＲＯＭで実現される表示用画像データメモリ４８に記憶された画像データが読み出されて、表示装置３に表示される。このようにして表示される画像とは、後述のようなメインメニュー画面、サブメニュー画面、歯牙列展開図、拡大歯冠画像、アイコン画像などである。
【００４８】
動作データ編集用メモリ１０は、たとえばＲＡＭで実現され、動作用メモリ８から実行する処理を選択して、数値に対応付けて記憶し、後述するようなメインメニューテーブル５１やサブメニューテーブル５２を作成するために用いられる。
【００４９】
たとえばＲＡＭで実現される患者情報用メモリ９には、操作パネル４，５からの数値入力によって指定された所見情報が患者毎に記憶される。
【００５０】
また、診療支援装置１は、接続端子４９，５０を有し、当該接続端子４９，５０には、画像撮影装置１２０および歯科用電気的診断装置１２２を接続することができる。画像撮影装置１２０を接続することによって、画像撮影装置１２０が有する撮影画像データ用メモリ１２１に記憶された撮影画像データを直接取り込むことができる。同様にして、歯科用電気的診断装置１２２が有する診断データ用メモリ１２３に記憶された診断データを直接取り込むことができる。取り込んだデータは、表示装置３に表示することが可能であるし、患者情報として、患者情報用メモリ９に記憶することができる。画像撮影装置１２０は、Ｘ線撮影装置、写真撮影装置、ＣＣＤカメラなどの撮影装置などであり、歯科用電気的診断装置１２２は、根管長測定装置、歯牙動揺度測定装置、歯髄診断装置、盲のう測定装置などである。このような装置からのアナログデータは、アナログ／デジタル（Ａ／Ｄ）変換器を介して取り込んでもよく、デジタルデータはそのまま取り込んでもよい。
【００５１】
図３〜図１１は、表示装置３に表示される表示画面１２〜１９，２４をそれぞれ示す図である。まず、表示装置３にはメインメニュー画面２０が表示される。メインメニュー画面２０は、メインメニュー画面であることを表すタイトル表示領域２０ａ、複数のメイン処理を表すメニュー表示３５と数値表示３４とが対応付けられて文字列に平行に、すなわち図３紙面中で左右方向に並べて表示されるメインメニュー表示領域２０ｂ、および後述するサブメニュー画面が表示されるサブメニュー画面表示領域２０ｃを含んで構成される。メインメニュー表示領域２０ｂでは、たとえば図示されるように数値表示３４である「０」と、メニュー表示３５である「セルフ・ヘルプ」処理とが対応付けられて表示される。以降同様にして、「１」と「受付」処理とが、「２」と「情報エリア」処理とが、「３」と「診査・治療エリア」処理とが、「４」と「関連医療」処理とが、「５」と「ラボ」処理とが、「６」と「データ」処理とが、「７」と「学習」処理とが、「８」と「ＯＳ（オペレーティング・システム）」処理とが対応付けられて表示される。
【００５２】
操作者は、前記第１または第２操作パネル４，５を用いて、左右方向のカーソルキーＡ１０，Ａ１１で実行する処理を選択する。文字列表示は、たとえば白色の第１表示色を背景色として、たとえば黒色の第２表示色で表示され、選択されたメイン処理の文字列表示は背景色が、たとえば水色の第３表示色で表示されて、選択されたメイン処理と選択されていないメイン処理とが目視で区分して認識できるように表示される。また、メニュー表示３５が数値表示３４と対応付けられており、数値の指定によってメインメニューを選ぶことができる。したがって、表示される数値とメインメニューとの対応関係および操作パネル４，５上のキー配列を記憶した操作者は、表示された画面２０や操作パネル４，５上のキーを見ることなく、メインメニューを選ぶことができる。
【００５３】
上述したようなメインメニューに選ばれる処理とは、少なくとも歯科診療の全体を網羅する処理であり、さらにたとえば医院と一般家庭とをつなぐ（リンクする）処理などを含んでもよい。
【００５４】
セルフ・ヘルプ処理とは、一般家庭や企業組織から医院へのアクセスを行って、医院から様々な情報を一般家庭や企業組織に提供するための処理であり、たとえば政府が計画しているスーパーハイウェイ構想が実現されて、一般家庭や企業組織と医院を含む医療機関とが、光ファイバネットワークによって接続されたときに実行される。当該処理が選択されると、図３に示されるようにサブメニュー画面２１がメインメニュー画面２０のサブメニュー画面表示領域２０ｃに重畳して表示される。
【００５５】
サブメニュー画面２１では、セルフ・ヘルプ処理に関する複数のサブ処理を表すメニュー表示３７と、数値表示３６とが対応付けられて、文字列に直交して、すなわち図３紙面中で上下方向に並べて表示される。たとえば図示されるように、数値表示３６である「１」と、メニュー表示３７である「セルフケア／ホームケア」処理とが対応付けられて表示される。以降同様にして、「２」と「医療施設」処理とが、「３」と「救急医療」処理とが対応付けられて表示される。
【００５６】
操作者は、前記第１または第２操作パネル４，５を用いて、上下方向のカーソルキーＡ１２，Ａ１３で実行する処理を選択する。文字列表示は、メインメニュー画面２０と同様に、たとえば白色の第１表示色を背景色として、たとえば黒色の第２表示色で表示され、選択されたサブ処理の文字列表示は背景色が、たとえば水色の第３表示色で表示されて、選択されたサブ処理と選択されていないサブ処理とが目視で区分して認識できるように表示される。このようなサブメニューの選択もメインメニューの選択と同様に、操作者は画面２１や操作パネル４，５上のキーを見ることなく行うことができる。
【００５７】
受付処理とは、院内において日常行われる業務を支援する処理であり、たとえば患者の登録、診療の予約、医師のスケジュール管理、会計業務を行う処理である。当該処理を選択すると、図４に示されるようなサブメニュー画面２２が、前記メインメニュー画面２０のサブメニュー画面表示領域２０ｃに重畳して表示される。サブメニュー画面２２では、前記サブメニュー画面２１と同様にして、受付処理に関する複数のサブ処理を表すメニュー表示３７と、数値表示３６とが対応付けられて、文字列に直交して表示される。
【００５８】
また、予め定める数、たとえば１０以上のサブ処理がある場合には、１０までの数値表示３６に代わって予め定める記号、たとえば「＋」記号が表示される。前述したサブ処理の選択と同様にして当該記号を選択すると、さらにサブメニュー画面２３がメインメニュー画面２０のサブメニュー画面２０ｃに重畳して表示される。当該サブメニュー画面２３でも、複数のサブ処理を表すメニュー表示３９と、数値表示３８が対応付けられて、文字列に直交して表示される。
【００５９】
たとえば前記サブメニュー画面２２の「患者登録」処理を選択すると、図５に示されるような表示画面２４が、画面１３に代わって表示される。表示画面２４は、患者の登録用画面であることを表すタイトル表示領域４０、患者に対応付けられる識別番号が表示される識別番号表示領域４１、および患者の個人データが各項目毎に表示されるデータ表示領域４２を含んで構成される。患者の個人データとしては、たとえば名前、生年月日および性別住所などの一般データ、どこの具合が悪いのかや服用中の薬があるかなどの医科・歯科データ、保険の記号番号、保険の有効期限および被保険者名などの保険データが含まれる。
【００６０】
情報エリア処理も、院内において日常行われる業務を支援する処理である。当該処理を選択すると、図６に示されるようなサブメニュー画面２５が、前記メインメニュー画面２０のサブメニュー画面表示領域２０ｃに重畳して表示される。サブメニュー画面２５では、前記サブメニュー画面２１〜２３と同様に、情報エリア処理に関する複数のサブ処理を表すメニュー表示３７と、数値表示３６とが対応付けられて、文字列に直交して表示される。
【００６１】
情報エリア処理のサブ処理は、その多くが後述する診査・治療エリア処理のサブ処理と共通の処理であるけれども、当該処理に特有のサブ処理としては、たとえば患者への症例提示に用いる画面を表示するためなどのプレゼンテーション処理、院内の雇用者に関する、たとえば識別番号、勤務時間、治療手順およびその所要時間などの雇用者情報を登録するための登録処理、院内における費用、在庫管理、メンテナンス情報および管理ルールなどの院内情報を登録するための登録処理が挙げられる。このような処理が実行されるのは院内の、たとえば医師同士または医師と患者との相談室であり、このようなエリアには、たとえば表示装置３としてノートブック型表示パネルが用いられる。
【００６２】
また、サブ処理にさらにサブ処理がある場合には、さらなるサブメニュー画面が表示される。たとえば「所見、治療」処理を選択した場合には、サブメニュー画面２６がメインメニュー画面２０のサブメニュー画面表示領域２０ｃに重畳して表示される。当該サブメニュー画面２６でも、複数のサブ処理を表すメニュー表示３９と、数値表示３８が対応付けられて、文字列に直交して表示される。
【００６３】
診査・治療エリア処理も、院内において日常行われる業務を支援する処理であり、たとえば診療結果を登録する処理である。当該処理を選択すると、図７に示されるようなサブメニュー画面２７が、前記メインメニュー画面２０のサブメニュー画面表示領域２０ｃに重畳して表示される。サブメニュー画面２７では、前記サブメニュー画面２１〜２３，２５，２６と同様に、診査・治療エリア処理に関する複数のサブ処理を表すメニュー表示３７と、数値表示３６とが対応付けられて、文字列に直交して表示される。
【００６４】
診査・治療エリア処理は、医師が診療を進めながら同時に実行される処理である。このような処理が実行されるのは院内の、たとえば治療室であり、このようなエリアには表示装置３が、たとえば治療室内の側壁などに嵌め込まれて配置される。
【００６５】
関連医療処理とは、たとえば患者が他の医院に転送された場合に、転送先の医院で実施された治療などを登録する処理である。ラボ処理とは、たとえばいわゆる技工室（Ｄｅｎｔａｌ  Ｌａｂｏｒａｔｏｒｙ）において行われる技工処理を登録する処理である。データ処理とは、たとえば歯科に関するデータを表示するための処理である。学習処理とは、ＬＡＮ構成の１つの特徴であって、各エリアで実施され、画面操作や治療手順などを操作者が学習するための機能を実行するための処理である。たとえば歯科医師の技術研修および独習のための機能の実行処理が含まれ、学習前、学習中、学習後における治療技術の評価基準データ、学習中における治療動作解析システム（たとえば動点追跡システムや切削圧変動のデータ表示システム）および学習後の習得状況を評価するための口腔内写真像の表示システムなどを実行することができる。ＯＳ処理とは、診療業務以外の機能を実行するための処理である。たとえばインターネットなど外部のネットワークとの通信を実行するための処理が含まれる。
【００６６】
これらの処理を選択した場合にも、上述したのと同様にして、図８〜図１１に示されるサブメニュー画面２８〜３０，３３がメインメニュー画面２０のサブメニュー画面表示領域２０ｃに重畳して表示され、当該サブメニュー画面において、各メイン処理に関する複数のサブ処理を表すメニュー表示３７と、数値表示３６とが対応付けられて、文字列に直交して表示される。サブ処理にさらにサブ処理がある場合にも、上述したのと同様にして、たとえば図１０に示されるように、サブメニュー画面３１，３２がメインメニュー画面２０のサブメニュー画面表示領域２０ｃに重畳して表示される。当該サブメニュー画面３１，３２でも、複数のサブ処理を表すメニュー表示３９，４４と、数値表示３８，４３とが対応付けられて、文字列に直交して表示される。操作者は、画面や操作パネル４，５のキーを見ることなくメニューを選択することができる。
【００６７】
図１２は、たとえば図７に示されるような診査・治療エリア処理を選択した場合の動作データ編集用メモリ１０の構成を示す図である。メインメニュー画面２０が表示されると、メインメニューテーブル５１およびサブメニューテーブル５２が作成される。メインメニューテーブル５１は、メイン処理データ５４が数値データ５３と対応付けられて格納されたものである。サブメニューテーブル５２は、サブ処理データ５６が数値データ５５と対応付けられて格納されたものである。
【００６８】
動作用メモリ８には、院内の予め定められる複数のエリアでそれぞれ実行される処理手順が記憶されており、当該処理を実行することによって、例えば受付処理、情報開示処理、診査・治療処理、会計処理、運営・管理処理、通信処理などの複数のエリアでの業務の支援が可能となる。複数の処理手順の中からメイン処理が選択され、メイン処理に従属するサブ処理が選択されて、それぞれ格納される。好ましくは、メイン処理およびサブ処理は、最大１０個選ばれ、０から９までの１桁の数値ｍ，ｎのいずれかに対応付けて格納される。
【００６９】
図１３は、メインメニュー画面２０を表示したときに実行される処理の処理手順を示すフローチャートである。ステップａ１では、メインメニュー画面２０を表示するためのパラメータ、たとえば画面２０中の各表示領域２０ａ〜２０ｃの大きさや文字の大きさを指定するパラメータや表示のためのデータがロードされる。ステップａ２では、メイン処理データがロードされる。
【００７０】
ステップａ３では、メインメニュー画面２０が表示される。ここで、メニュー画面中の文字列は、診療支援装置１が文書変換装置を備えることによって、たとえば日本語、英語およびフランス語のうちのいずれか１つを選択して表示することが可能である。また、他の言語で表示するようにしても構わない。
【００７１】
ステップａ４では、ＥＳＣキーＡ１６から入力があったか否かが判断される。入力があった場合はステップａ５に進み、所定の処理、たとえば前画面の表示処理を実行する。ステップａ６では、さらにＥＳＣキーＡ１６から入力があったか否かが判断される。入力があった場合はステップａ３に戻る。入力がない場合には、ステップａ５に戻る。
【００７２】
ステップａ４で、ＥＳＣキーＡ１６から入力がない場合には、ステップａ７に進む。ステップａ７では、ピリオドキーＡ１８から入力があったか否かが判断される。入力があった場合はステップａ８に進む。入力がない場合には、ステップａ１０に進む。ステップａ８では、画像データのロード処理が実行される。
【００７３】
ステップａ９では、ピリオドキーＡ１８から入力があったか否かが判断される。入力があった場合はステップａ１０に進む。入力がない場合には、ステップａ８に戻る。ステップａ１０では、キーＡ１８以外のキー入力によって他のオプション処理が実行されて、処理を終了する。
【００７４】
図１４は、患者の登録処理を実行するときの処理手順を示すフローチャートである。ステップｂ１では、患者登録を行うための画面が表示される。ステップｂ２では、データ入力があったか否かが判断される。入力があった場合はステップｂ３に進む。ない場合はステップｂ１１に進む。
【００７５】
ステップｂ３では、ＥＳＣキーＡ１６からキー入力される。ステップｂ４では、画面が編集処理される。ステップｂ５では、登録処理を実行するか否かが判断される。実行する場合は、ステップｂ９に進んで、処理を実行し、ステップｂ１に戻る。実行しない場合のステップｂ６では、他の処理を実行するか否かが判断される。実行する場合は、ステップｂ１０に進んで、処理を実行する。実行しない場合のステップｂ７ではヘルプキーＡ２０から入力があったか否かが判断される。あった場合にはステップｂ１に戻る。なかった場合のステップｂ８では、前画面を表示するか否かが判断される。表示する場合には、ステップｂ１に戻って、前画面を表示する。表示しない場合には処理を終了する。
【００７６】
前記ステップｂ２でデータ入力がなかったステップｂ１１では、エンタキーＡ１４からキー入力される。ステップｂ１２では、患者の登録リストが読み出される。ステップｂ１３では読み出された登録リストが表示され、ステップｂ１に戻る。
【００７７】
図１５は、所見データを入力するときの処理手順を示すフローチャートである。ステップｃ１では、所見データ入力用の画面が表示される。ステップｃ２では、処理データがロードされる。ステップｃ３では、患者の登録データが読み出される。ステップｃ４では、キー入力が実行される。ステップｃ５では、キー入力によって、他のオプションメニューが指定されたか否かが判断される。指定された場合にはステップｃ６に進んで、処理データがロードされる。指定されなかった場合には、ステップｃ２に戻る。ステップｃ７では、ＥＳＣキーＡ１６から入力があったか否かが判断される。入力があった場合には処理を終了し、なかった場合にはステップｃ８に進んで、処理データがロードされる。ステップｃ９では、ＥＳＣキーＡ１６から入力があったか否かが判断される。入力があった場合にはステップｃ６に戻る。なかった場合にはステップｃ８に戻る。
【００７８】
図１６は、診査・治療エリア処理を選択し、さらに所見入力・歯牙歯槽組織処理を選択した場合に初期に表示される表示画面６１を示す図である。表示画面６１は、所見データ入力用画面を示すタイトル表示領域６２、入力されるデータの患者を示す、たとえば患者の識別番号や名前が表示される患者データ表示領域６３、オドントグラムなどと称される歯牙列展開図が表示される歯牙列展開図表示領域６４、歯牙の様々な状態を画像として示すアイコン表示領域６５、他のデータ入力モードを示す文字列が表示される文字列表示領域６６、および他のデータ入力モードで入力されたデータがあるかいなかを示す報知情報を表示する報知情報表示領域６７を含んで構成される。
【００７９】
タイトル表示領域６２は画面最上部に配置され、その下部に患者データ表示領域６３が配置される。さらにその左側下部には歯牙列展開図表示領域６４が配置され、右側下部には文字列表示領域６６が配置される。歯牙列展開図表示領域６４と、文字列表示領域６６との間には、報知情報表示領域６７が配置され、歯牙列展開図表示領域６４の下部には、アイコン表示領域６５が配置される。
【００８０】
タイトル表示領域６２は、たとえば水色の第３表示色を背景色として黒色の第２表示色でタイトルの文字列が表示されて構成される。患者データ表示領域６３は、たとえば白色の第１表示色を背景色として黒色の第２表示色で患者の識別番号や名前が表示されて構成される。アイコン表示領域６５および文字列表示領域６６は、たとえば青色の第４表示色を背景色として後述するアイコンおよび文字列が表示される。報知情報表示領域６７は、基本的にはアイコン表示領域６５および文字列表示領域６６と同様に、たとえば青色の第４表示色で表示される。ただし、報知情報がある場合には、報知情報表示領域６７は、たとえば赤色の第５表示色で表示される。
【００８１】
文字列表示領域６６では、前記他のデータ入力モードを示す文字列表示８７が、数値表示８８と対応つけられて、文字列に直交して表示される。前記他のデータ入力モードで入力されたデータがあるかいなかを示す報知情報がある場合には、その入力モードの文字列表示８７に対応した数値表示８８も、たとえば赤色の第５表示色で表示される。主訴、報告データがある場合には、「１」が赤色で表示される。報知情報の有無に応じて、領域６７および対応する数値表示８８の表示色を切換えることによって、操作者に確実に報知情報の有無を知らせることができる。
【００８２】
図１７は、歯牙列展開図表示領域６４を拡大して示す図である。歯牙列展開図表示領域６４は、上顎側歯牙列展開図表示領域７１、下顎側歯牙列展開図表示領域７２および歯牙番号表示領域７３を含んで構成される。
【００８３】
上顎側歯牙列展開図表示領域７１は、頬側面画像７４および舌側面画像７５が、互いの咬合面７６，７７が対向するようにして配置され、当該頬側面画像７４および舌側面画像７５の間に咬合面画像７８が配置され、頬側面画像７４の咬合面画像７８とは反対側には歯根画像７９が配置されて構成される。なお、臼歯列についてのみ咬合面画像７８が配置され、前歯列については、咬合面画像７８は配置されない。下顎側歯牙列展開図表示領域７２についても同様にして各画像が配置され、上顎側歯牙列展開図の舌側面画像７５と下顎側歯牙列展開図の舌側面画像７５とが互いに対向するようにして配置される。
【００８４】
また、表示装置３の表示画面には互いに直交する方向にＸ−Ｙ座標が設定されており、図１７紙面中で左右方向（Ｘ軸方向）に目盛り８１が付されている。付された目盛りの正中線に対応する線分８０は、他の線分と区分して、たとえば太くかつ長く表示されている。当該線分８０は、画面６２の上方、下方およびほぼ中央部に、図１７紙面中で上下方向に表示される。前記目盛りに沿って各歯牙の展開図が表示される。
【００８５】
歯牙番号表示領域７３には、予め定められる歯牙番号が各歯牙の近傍に表示される。図１７紙面中の「００」は口腔内の全歯牙列を、「０１」は上顎全体の歯牙列を、「０２」は下顎全体の歯牙列を、「０３」は上顎右臼歯列を、「０４」は上顎前歯列を、「０５」は上顎左臼歯列を、「０６」は下顎左臼歯列を、「０７」は下顎前歯列を、「０８」は下顎右臼歯列をそれぞれ表す。また、「１０」は上顎右歯牙列を、「１１」〜「１８」は右上中切歯〜右上第３大臼歯を、「２０」は上顎左歯牙列を、「２１」〜「２８」は左上中切歯〜左上第３大臼歯を、「３０」は下顎左歯牙列を、「３１」〜「３８」は左下中切歯〜左下第３大臼歯を、「４０」は下顎右歯牙列を、「４１」〜「４８」は右下中切歯〜右下第３大臼歯をそれぞれ表す。
【００８６】
このような歯牙番号は、画面６２のほぼ中央部で当該画面６２を上下に２分する線分８２によって上顎と下顎とに分けて表示される。前記線分８２は、上顎側歯牙列と下顎側歯牙列との咬合平面に対応する。また、上顎右臼歯列と上顎前歯列との間に線分８３が、上顎前歯列と上顎左臼歯列との間に線分８４が、下顎左臼歯列と下顎前歯列との間に線分８６が、下顎前歯列と下顎右臼歯列との間に線分８５がそれぞれ表示される。線分８３，８４は前記線分８２から上方向に表示され、線分８５，８６は前記線分８２から下方向に表示される。
【００８７】
前記第１およひ第２操作パネル４，５のカーソルの移動を指示するカーソルキーの操作によって歯牙を指定すると、指定された歯牙の歯牙番号部分が、たとえば赤の第５表示色を背景色として、白色の第１表示色で表示されて、指定されなかった歯牙と区分して表示される。したがって、操作者は指定された歯牙を確実に認識することができる。また、各歯牙に対応する歯牙番号は予め定められており、この対応関係およびキー配列を記憶する操作者は、表示画面６４および操作パネル４，５上のキーを見ることなく、歯牙を指定することができる。
【００８８】
図１８は、アイコン表示領域６５にアイコンが表示されたときの処理手順を示すフローチャートである。ステップｄ１では、アイコン画面が表示される。ステップｄ２では、ＥＳＣキーＡ１６から入力があったか否かが判断される。あったときには処理を終了する。なかったときにはステップｄ３に進み、キー入力が行われる。ステップｄ４では、カーソル表示の移動処理がロードされる。ステップｄ５では、「１」〜「９」のキーＡ１〜Ａ９からの入力があったか否かが判断される。あったときには、ステップｄ６に進み、他のオプション処理を実行し、すなわち指定されたアイコンの歯牙列展開図への挿入処理を実行して、ステップｄ１に戻る。
【００８９】
ステップｄ５でなかったときのステップｄ７では、カーソルキーＡ１３入力があったか否かが判断される。あったときには、ステップｄ８に進み、アイコンを下段に切り換える処理がロードされる。そしてステップｄ５に戻る。ステップｄ７でなかったときのステップｄ９では、カーソルキーＡ１２入力があったか否かが判断される。あったときには、ステップｄ１０に進み、アイコンを上段に切り換える処理がロードされる。そしてステップｄ５に戻る。
【００９０】
図１９，２０は、図１６の表示画面６１中の文字列表示領域６６の「４  歯冠、義歯」を選択した場合の表示画面８９ａ，８９ｂをそれぞれ示す図である。表示画面８９ａは、前記表示画面６１のアイコン表示領域６５が拡大歯冠画像表示領域９０とアイコン画像表示領域９１（上段アイコン画像表示領域９１ａ、下段アイコン画像表示領域９１ｂ）とを含んで構成され、文字列表示領域６６が拡大歯冠文字列表示領域９２と上段アイコン文字列表示領域９３とを含んで構成される。ここで初期状態では、上段アイコン画像表示領域９１ａのフレームが、下段アイコン画像表示領域９１ｂのフレームとは異なる表示色で、たとえば上段アイコン画像表示領域９１ａのフレームは黄色の第６表示色で、下段アイコン画像表示領域９１ｂのフレームは黒色の第２表示色で表示される。
【００９１】
また、たとえば「↓」のカーソルキーＡ１３で下段アイコンを選択したときの表示画面８９ｂでは、文字列表示領域６６中の上段アイコン文字列表示領域９３が下段アイコン文字列表示領域９４に置き換わり、下段アイコン画像表示領域９１ｂのフレームが、上段アイコン画像表示領域９１ａのフレームとは異なる表示色で表示される。たとえば、上段アイコン画像表示領域９１ａのフレームは黒色の第２表示色で、下段アイコン画像表示領域９１ｂのフレームは黄色の第６表示色で表示される。
【００９２】
拡大歯冠画像表示領域９０中の歯牙部位を表す数値表示と、拡大歯冠文字列表示領域９２の数値表示８８とが一致している。また、アイコン画像表示領域９１の各アイコンに対応つけられた数値表示と、上段アイコン文字列表示領域９３および下段アイコン画像表示領域９４の数値表示８８とが一致している。
【００９３】
図２１は、拡大歯冠画像表示領域９０を示す図である。歯冠の予め定める部位が数値またはアルファベットと対応付けられており、各部位近傍それぞれ表示される。「０」は歯冠全体を、「１（Ｏ）」は咬合面を、「２（Ｍ）」は近心面を、「３（Ｄ）」は遠心面を、「４（Ｆ）」は頬側面を、「５（Ｌ）」は舌側面を、「６（ＭＧ）」は近心歯肉面を、「７（ＤＧ）」は遠心歯肉面を、「８（ＦＧ）」は頬側歯肉面を、「９（ＬＧ）」は舌側歯肉面をそれぞれ表す。
【００９４】
歯牙を指定した後、前記第１および第２操作パネル４，５の数値キーから数値入力を行うと、前記指定された歯牙の部位が指定される。歯牙の部位が指定されると、指定されていない部位とは異なる表示色で数値が表示される。たとえば指定した部位の表示部分が黄色の第６表示色を背景色として表示される。
【００９５】
拡大歯冠画像表示領域９０中の歯牙部位を表す数値表示と、拡大歯冠文字列表示領域９２の数値表示８８とが一致しているので、文字列表示領域６６の表示を見ることによって、操作者は、各数値が何を意味するかを、画像的のみならず、文字列としても容易に理解することができる。また、各部位と付される数値との対応関係およびキー配列を記憶する操作者は、画面８９ａ，８９ｂを見ることなく、また操作パネル４，５上のキーを見ることなく、部位を指定することができる。
【００９６】
図２２は、アイコン画像表示領域９１を示す図である。各アイコンが数値に対応つけられている。上段アイコン画像表示領域９１ａでは、「１」〜「９」は、小さな欠損、象牙質欠損、露髄、歯根／エナメル質、欠損、変色、歯髄炎、部分露出している歯牙、過剰歯をそれぞれ表す。下段アイコン画像表示領域９１ｂでは、「１」〜「９」は、充填物、インレー、暫間充填物、オーバーハング、オンレー，３／４冠、クラウン、ポンティック、義歯をそれぞれ表す。
【００９７】
アイコン画像表示領域９１の各アイコンに対応つけられた数値表示と、上段アイコン文字列表示領域９３および下段アイコン画像表示領域９４の数値表示８８とが一致しているので、文字列表示領域６６の表示を見ることによって、操作者は、各数値が何を意味するかを、画像的のみならず、文字列としても容易に理解することができる。
【００９８】
第１および第２操作パネル４，５の数値キーから数値入力を行うと、入力された数値に対応付けられたアイコン画像が前記展開図中の指定された歯牙の指定された部位に挿入される。本形態のアイコン画像は、上述のように数値に対応付けられており、数値の指定によってアイコン画像が所望の位置に表示されるものであって、デジタル的にアイコン画像の入力の指定を行うものである。アイコン画像の挿入についても、各アイコンと付される数値との対応関係およびキー配列を記憶する操作者は、画面８９ａ，８９ｂを見ずに、また操作パネル４，５上のキーを見ることなく、操作することができる。
【００９９】
次の表１、表２は、  「４  歯冠、義歯」を選択した場合の表示画面８９ａ，８９ｂを用いた操作手順の一例を示す表である。ここではキー入力をキータップと称する。歯牙「１８」に部分露出、「１７」に欠損、「１１」，「１２」，「２１」，「２２」に変色、「２５」にＭＯＤインレー、「２８」に咬合面の象牙質欠損（Ｃ２）、「３６」に咬合面と頬側面とに充填物、「３７」にエナメル質と歯根だけ（Ｃ４）、「４６」に咬合面に象牙質欠損（Ｃ２）、「４８」に頬側面に小さな欠損（Ｃ１）、過剰歯が生じている場合の操作手順を示す。表１の手順に続いて表２の手順が実行される。またたとえば、「→」はカーソルキーＡ１１のキータップを示す。
【０１００】
【表１】
0003553712.tif 000002
【０１０１】
【表２】
0003553712.tif 000003
【０１０２】
図２３，２４は、図１６の表示画面６１中の文字列表示領域６６の「２  衛生、歯周組織」を選択した場合の表示画面９５ａ，９５ｂをそれぞれ示す図である。表示画面９５ａは、前記表示画面６１のアイコン表示領域６５がアイコン画像表示領域９６（上段アイコン画像表示領域９６ａ、下段アイコン画像表示領域９６ｂ）を含んで構成され、文字列表示領域６６が上段アイコン文字列表示領域９７を含んで構成される。ここで初期状態では、上段アイコン画像表示領域９６ａのフレームが、下段アイコン画像表示領域９６ｂのフレームとは異なる表示色で、たとえば上段アイコン画像表示領域９６ａのフレームは黄色の第６表示色で、下段アイコン画像表示領域９６ｂのフレームは黒色の第２表示色で表示される。
【０１０３】
また、たとえば「↓」のカーソルキーＡ１３で下段アイコンを選択したときの表示画面９５ｂでは、文字列表示領域６６中の上段アイコン文字列表示領域９７が下段アイコン文字列表示領域９８に置き換わり、下段アイコン画像表示領域９６ｂのフレームが、上段アイコン画像表示領域９６ａのフレームとは異なる表示色で表示される。たとえば、上段アイコン画像表示領域９６ａのフレームは黒色の第２表示色で、下段アイコン画像表示領域９６ｂのフレームは黄色の第６表示色で表示される。
【０１０４】
アイコン画像表示領域９６の各アイコンに対応つけられた数値表示と、上段アイコン文字列表示領域９７および下段アイコン画像表示領域９８の数値表示８８とが一致している。
【０１０５】
図２５は、アイコン画像表示領域９６を示す図である。各アイコンが数値に対応つけられている。上段アイコン画像表示領域９６ａでは、「１」〜「９」は、プラーク２ｍｍ以下、プラーク２〜３ｍｍ、プラーク３ｍｍ以上、着色２ｍｍ以下、着色２〜３ｍｍ、着色３ｍｍ以上、歯石２ｍｍ以下、歯石２〜３ｍｍ、歯石３ｍｍ以上をそれぞれ表す。下段アイコン画像表示領域９６ｂでは、「１」〜「８」は、歯肉炎２ｍｍ以下、歯肉炎２〜３ｍｍ、歯肉炎３ｍｍ以上、出血、浸出液／排膿、過形成、退縮、分岐部オープンをそれぞれ表す。
【０１０６】
アイコン画像表示領域９６の各アイコンに対応つけられた数値表示と、上段アイコン文字列表示領域９７および下段アイコン画像表示領域９８の数値表示８８とが一致しているので、文字列表示領域６６の表示を見ることによって、操作者は、各数値が何を意味するかを、画像的のみならず、文字列としても容易に理解することができる。
【０１０７】
第１および第２操作パネル４，５の数値キーから数値入力を行うと、入力された数値に対応付けられたアイコン画像が前記展開図中の指定された歯牙の指定された部位に挿入される。この場合も各アイコンと付される数値との対応関係およびキー配列を記憶する操作者は、画面９５ａ，９５ｂを見ずに、また操作パネル４，５上のキーを見ることなく、操作することができる。
【０１０８】
次の表３、表４は、「２  衛生、歯周組織」を選択した場合の表示画面９５ａ，９５ｂを用いた操作手順の一例を示す表である。部位「０３」，「０４」に軽度の歯肉炎が、「０６」，「０７」に中程度の歯肉炎が、「０７」に軽度のプラーク堆積が、「０８」に重度の歯肉炎が、歯牙「４６」に歯肉の退縮と出血とが、歯牙「４７」に歯肉の退縮と根分岐部病変（オープン）が生じている場合の操作手順を示す。表３の手順に続いて表４の手順が実行される。
【０１０９】
【表３】
0003553712.tif 000004
【０１１０】
【表４】
0003553712.tif 000005
【０１１１】
図２６は、図１６の表示画面６１中の文字列表示領域６６の「３  位置、サイズ」を選択した場合の表示画面９９を示す図である。表示画面９９は、前記表示画面６１のアイコン表示領域６５がアイコン画像表示領域１００を含んで構成され、文字列表示領域６６がアイコン文字列表示領域１０１と、他の文字列表示領域１０２とを含んで構成される。ここで、たとえばアイコン画像表示領域１００のフレームは黄色の第６表示色で表示される。アイコン画像表示領域１００の各アイコンに対応つけられた数値表示と、アイコン文字列表示領域１０１の数値表示８８とが一致している。
【０１１２】
図２７は、アイコン画像表示領域１００を示す図である。各アイコンが数値に対応つけられている。「１」〜「９」は、圧下、挺出、近心移動、遠心移動、頬側傾斜、舌側移動、近心傾斜、遠心傾斜、歯軸捻転をそれぞれ表す。
【０１１３】
アイコン画像表示領域１００の各アイコンに対応つけられた数値表示と、アイコン文字列表示領域１０１の数値表示８８とが一致しているので、文字列表示領域６６の表示を見ることによって、操作者は、各数値が何を意味するかを、画像的のみならず、文字列としても容易に理解することができる。
【０１１４】
第１および第２操作パネル４，５の数値キーから数値入力を行うと、入力された数値に対応付けられたアイコン画像が前記展開図中の指定された歯牙の指定された部位に挿入される。この場合も、各アイコンと付される数値との対応関係およびキー配列を記憶する操作者は、画面９９を見ずに、また操作パネル４，５上のキーを見ることなく、操作することができる。
【０１１５】
図２８は、図１６の表示画面６１中の文字列表示領域６６の「５  画像、歯根、骨」を選択した場合の表示画面１０２を示す図である。表示画面１０２は、前記表示画面６１の文字列表示領域６６が文字列表示領域１０３を含んで構成される。
【０１１６】
図２９，３０は、図２８の表示画面１０２中の文字列表示領域６６の「２  Ｘ線像」を選択した場合の表示画面１０４ａ，１０４ｂをそれぞれ示す図である。表示画面１０４ａは、前記表示画面１０２のアイコン表示領域６５が拡大歯冠画像表示領域９０とアイコン画像表示領域１０５（上段アイコン画像表示領域１０５ａ、下段アイコン画像表示領域１０５ｂ）とを含んで構成され、文字列表示領域６６が拡大歯冠文字列表示領域９２と上段アイコン文字列表示領域１０６とを含んで構成される。ここで初期状態では、上段アイコン画像表示領域１０５ａのフレームが、下段アイコン画像表示領域１０５ｂのフレームとは異なる表示色で、たとえば上段アイコン画像表示領域１０５ａのフレームは黄色の第６表示色で、下段アイコン画像表示領域１０５ｂのフレームは黒色の第２表示色で表示される。
【０１１７】
また、たとえば「↓」のカーソルキーＡ１３で下段アイコンを選択したときの表示画面１０４ｂでは、文字列表示領域６６中の上段アイコン文字列表示領域１０６が下段アイコン文字列表示領域１０７に置き換わり、下段アイコン画像表示領域１０５ｂのフレームが、上段アイコン画像表示領域１０５ａのフレームとは異なる表示色で表示される。たとえば、上段アイコン画像表示領域１０５ａのフレームは黒色の第２表示色で、下段アイコン画像表示領域１０５ｂのフレームは黄色の第６表示色で表示される。
【０１１８】
アイコン画像表示領域１０５の各アイコンに対応つけられた数値表示と、上段アイコン文字列表示領域１０６および下段アイコン画像表示領域１０７の数値表示８８とが一致している。
【０１１９】
図３１は、アイコン画像表示領域１０５を示す図である。各アイコンが数値に対応つけられている。上段アイコン画像表示領域１０５ａでは、「１」〜「９」は、小さな欠損、象牙質欠損、露髄、オーバーハング、水平骨欠損、垂直骨欠損、埋伏歯、分岐部オープン、Ｘ線画像へをそれぞれ表す。下段アイコン画像表示領域１０５ｂでは、「１」〜「９」は、髄腔充填、根管充填、インプラント、ポスト、根尖病巣、隣接面病巣、湾曲根、歯根破折、残根をそれぞれ表す。
【０１２０】
アイコン画像表示領域１０５の各アイコンに対応つけられた数値表示と、上段アイコン文字列表示領域１０６および下段アイコン画像表示領域１０７の数値表示８８とが一致しているので、文字列表示領域６６の表示を見ることによって、操作者は、各数値が何を意味するかを、画像的のみならず、文字列としても容易に理解することができる。
【０１２１】
第１および第２操作パネル４，５の数値キーから数値入力を行うと、入力された数値に対応付けられたアイコン画像が前記展開図中の指定された歯牙の指定された部位に挿入される。この場合も、各アイコンと付される数値との対応関係およびキー配列を記憶する操作者は、画面１０４ａ，１０４ｂを見ずに、また操作パネル４，５上のキーを見ることなく、操作することができる。
【０１２２】
次の表５、表６は、「２  Ｘ線像」を選択した場合の表示画面１０４ａ，１０４ｂを用いた操作手順の一例を示す表である。歯牙「１８」に欠損，残根、「１７」に垂直骨欠損，分岐部オープン、「１３」に隣接面病巣、「２５」に水平骨欠損、「３６」にインプラント、「４５」に根尖病巣、「４６」にインプラントが生じている場合の操作手順を示す。表５の手順に続いて表６の手順が実行される。
【０１２３】
【表５】
0003553712.tif 000006
【０１２４】
【表６】
0003553712.tif 000007
【０１２５】
図３２は、図２９の表示画面１０４ａ中の上段アイコン表示領域１０５ａの「９  Ｘ線画像へ」を選択した場合の表示画面１０８を示す図である。表示画面１０８は、前記タイトル表示領域６２、患者データ表示領域６３、アイコン表示領域６５に加えて、撮影画像表示領域１０９と診断装置データ表示領域１１０とを含んで構成される。アイコン表示領域６５は、前記拡大歯冠画像表示領域９０と、アイコン画像表示領域１０５（上段アイコン表示領域１０５ａ、下段アイコン表示領域１０５ｂ）とを含んで構成される。撮影画像表示領域１０９は、全顎パノラマ画像表示領域１０９ａ、バイトウィング画像表示領域１０９ｂ，１０９ｄ、ペリアピカル画像表示領域１０９ｃを含んで構成され、これらの領域に上述した手順によって各種のパノラマ（全顎総覧）Ｘ線断層撮影画像、リニア（平面断層）撮影画像、デンタルＸ線撮影画像などが表示される。
【０１２６】
このようにして、予め撮影し、読取装置７で読み取り、読取装置用メモリ４６に記憶したＸ線撮影画像データや写真撮影画像データを表示領域１０９に表示してもかまわない。また、診断データ入力装置４５から入力され、診断データ入力装置用メモリ４７に記憶された診断データを表示してもかまわない。
【０１２７】
また、診療支援装置１に接続した画像撮影装置１２０からの画像データを表示領域１０９に表示してもかまわない。たとえばデジタル撮影装置などと称される装置のＣＣＤ（電荷結合素子）カメラで撮影した口腔内撮影画像を表示してもかまわない。また、Ｘ線撮影装置として近年登場してきた、ＣＣＤなどでデジタル撮影可能な装置を用いたパノラマ、リニア、デンタルなどのＸ線デジタル撮影装置と接続して、撮影画像を入力してもよい。またさらに、診療支援装置１に接続した歯科用電気的診断装置１２２からのデータを表示領域１１０に表示してもかまわない。たとえばモリタ製作所の製品名ｒｏｏｔ  ＺＸと接続することによって、根管長測定装置の表示画像を表示領域１１０に表示することができる。これによって、Ｘ線撮影や写真撮影および診断装置データを目視で見ることができ、診療の支援を行うことができる。
【０１２８】
また、表示される撮影画像および診断装置からのデータを見ながら、拡大歯冠画像およびアイコンを用いて、上述した表５および表６に示されるような手順で、歯牙所見情報を入力することができる。所見情報を入力すべき歯牙は、表示領域９０に表示され、前述したのと同様にして特定の各個別の歯牙の特定部位にアイコンを挿入することができる。表示領域１０９を前記歯牙列展開図が表示される表示領域６４に置き換えたときには、歯牙列展開図中にアイコンが挿入されて表示される。このような表示領域の置き換えは、「ＥＳＣ」キーＡ１６のキータップによる、いわゆる前画面へ戻るという処理によって実行される。
【０１２９】
上述したようにして付された数値によって歯牙の特定、部位の特定およびアイコンまたは文字列で表される歯牙所見情報の特定を行うと、特定したデータが患者毎に患者情報用メモリ９に記憶される。このようにして記憶されるデータは、記憶された順番に蓄積して格納される。また、１患者に対する全てのデータは一括して表示装置３に表示される。したがって、医師は治療の履歴を知ることができ、さらに今後の治療方針などの治療計画を立てるための支援情報として、蓄積されたデータを有効に用いることができる。
【０１３０】
図３３は、文字列の表示を異なる言語で表示するための処理を示すフローチャートである。本形態では、文字列を日本語で表示する例について説明したけれども、文字列はたとえば英語またはフランス語で表示してもかまわない。ステップｅ１では、キー入力が行われる。たとえば、ＥＳＣキーＡ１６と数値キーＡ２とをこの順番に続けて入力すると、言語切換え用の画面が表示される。ここでも、各言語が数値に対応付けて表示される。ステップｅ２では、操作者が表示された画面を見て、所望の言語に付された数値をキー入力し、入力されたキーで指定される処理がテキストファイルの実行であるか否かが判断される。実行であるときには、ステップｅ３に進み、指定されたテキストファイルを実行する。そうでないときには、ステップｅ１に戻る。ステップｅ４では、表示する文字列の言語を変更するか否かが判断され、変更するときにはステップｅ３に戻る。変更すしないときにはステップｅ１に戻る。
【０１３１】
前記アイコン画像で表される情報は、歯牙所見情報であり、たとえばクラウン、インレー、インプラントなどの歯牙補綴情報、歯石付着度、歯肉後退度、歯牙のサイズ、歯牙の欠損状態、う蝕度などを含む歯科に関する全目視診断情報、根管長測定結果、歯牙動揺度、歯髄診断結果、盲のう測定結果などの電気的診断情報などの中から少なくとも１つ選ばれる情報である。これらの情報を示すアイコン画像は、表示用画像データメモリ４８に記憶されていおり、これらの情報の中から、１つの（上段または下段）アイコン表示領域として、最大１０個の画像データが選ばれて、０から９までの数値に対応付けられて動作データ編集用メモリ１０に記憶され、さらに表示装置３に表示される。
【０１３２】
以上のように本形態によれば、操作者は数値を入力することで、実行する処理を指定する。したがって、操作パネル４，５は少なくとも数値キーを含んで構成されればよく、また入力操作が非常に簡単となる。さらに、操作者が数値キーの配列を記憶すると、表示画面や操作パネルのキーを目視することなく、たとえば患者に対して診療を施しながら実行する処理の指定やデータの入力を迅速にかつ確実に行うことができる。操作者は、患者を見ながら操作することができるので、患者への診療を確実に行うことができる。
【０１３３】
また、メインメニュー表示３５および数値表示３４は文字列に平行に表示され、サブメニュー表示３７および数値表示３６は文字列に直交して表示されるので、操作者はメイン処理とサブ処理とを確実に区別して認識することができる。
【０１３４】
また、メイン処理およびサブ処理として最大１０個の処理を選ぶようにすれば、第１および第２操作パネル４，５は数値キーとして０から９までの数値キーを有すればよい。このように１桁の数値と対応付けることによって、操作者が行う操作は非常に簡略化され、迅速な操作が可能となって、操作性が向上する。
【０１３５】
また、診査・治療処理が選択されたときの歯牙列展開図表示領域６４には、全歯牙が詳細に画像として描かれているので、操作者または患者は、歯牙の状態を容易に認識することができる。また、歯牙番号表示領域７３に表示された歯牙番号によって、歯牙を確実に特定することができる。
【０１３６】
また、診査・治療処理が選択されたときには、アイコン表示領域６５には歯牙所見情報を画像で表す複数のアイコン画像が数値に対応つけて表示される。また、拡大歯冠画像表示領域９０には各部位に数値が付された拡大歯冠画像が表示される。操作者は、数値キーを用いて画面やキーを見ずに歯牙および部位を特定し、さらに歯牙所見情報を入力することができる。また、アイコンデータとして最大１０個のデータを選ぶようにすれば、前述したのと同様に、第１および第２操作パネル４，５は数値キーとして０から９までの数値キーを有すればよく、操作者が行う操作は非常に簡略化され、迅速な操作が可能となって操作性が向上する。また文字列表示領域６には、歯牙所見情報を表す複数の文字列が数値に対応つけて表示される。アイコン画像で表される歯牙所見情報は、このような文字列を見て画像の表す意味を知ることができる。
【０１３７】
また、撮影画像表示領域１０９には、読取装置７で読取られて、読取装置用メモリ４６に記憶されたデジタル画像、または診療支援装置１に接続された画像撮影装置１２０からのアナログ画像が表示される。当該画像は、たとえばＸ線撮影画像、写真撮影画像あるいはＣＣＤカメラによって撮影された画像などである。また、診断装置データ表示領域１１０には診断データ入力装置４５から入力されて診断データ入力装置用メモリ４７に記憶されたデジタル画像、または診療支援装置１に接続された歯科用電気的診断装置１２２からのアナログ画像が表示される。当該画像は、たとえば根管長測定装置、歯牙動揺度測定装置、歯髄診断装置、盲のう測定装置などの電気的診断装置で測定された測定結果を示す画像である。操作者または患者は、このような撮影画像や測定結果を見ることも可能である。
【０１３８】
また、操作パネル４，５が有するカーソルキーによって歯牙が指定されると、指定された歯牙の歯牙番号部分が指定されなかった歯牙の番号部分とは異なる表示色で表示される。したがって、指定された歯牙とそうでない歯牙とを目視で確実に識別することができる。
【０１３９】
また、操作パネル４，５の数値キーから数値入力を行うと、所定の歯牙の部位が指定され、さらに数値入力を行うと、入力された数値に対応付けられたアイコン画像が展開図中の所定の歯牙の指定された部位に表示される。操作者または患者は、所見情報を目視で容易にかつ詳細な部位やたとえばう蝕の程度まで確認することができる。これによって、たとえば術者が患者に治療計画の説明や治療内容の説明を行うために、診療支援装置１の表示装置３を用いることが可能である。
【０１４０】
また、たとえば診査・治療処理の実行時において、受付処理を実行したときに、たとえば歯がしみるなどの患者の訴えがあったかどうかは報知情報表示領域６７の表示色および文字列表示領域６６の数値の表示色によって知ることができる。他の処理実行時に登録されたデータがあるときには、たとえば異なる表示色の数値を入力することによって、どのようなデータが登録されたかを表示して操作者に知らせることが可能である。
【０１４１】
また、院内の複数のエリアで操作パネル４，５および表示装置３がそれぞれ使用される。したがって、たとえば受付や診察室で情報を共有して用いることができ、医療に拘わる複数の処理を総合的に管理して、効率よく医療業務を遂行することが可能となる。
【０１４２】
なお、本形態では、診療支援装置に例について説明したけれども、上述したような表示画面に表示される、歯牙列展開図、拡大歯冠画像、アイコン画像、アイコン文字列、撮影画像および診断装置データなどを表示する歯科関連情報表示装置の例も本発明の範囲に属するものである。また、これらの情報を上述したように表示する方法も本発明の範囲に属するものである。
【０１４３】
また、表示装置３として液晶表示装置の例について説明したけれども、表示装置３はＣＲＴ（陰極線管）モニタやプラズマディスプレイなど、公知の表示装置のいずれかを用いて実現してもかまわない。
【０１４４】
【発明の効果】
以上のように本発明によれば、所定の位置に配置されて表示された上顎側および下顎側歯牙列展開図には、歯牙が詳細に画像として描かれているので、操作者又は患者は、歯牙の状態や歯牙関連情報を目視で容易に認識することができる。また各歯牙の近傍に配置された歯牙番号によって、歯牙を確実に特定することができる。また前記歯牙番号を詳細に付すことによって、各歯牙のみならず、歯牙列毎に分けて確実に特定することができる。
【０１４５】
また、前記上顎側および下顎側歯牙列展開図に代わって、歯牙の撮影画像を表示することによって、操作者または患者はこのような撮影画像を見ることもでき、さらに歯牙の状態や歯牙関連情報を目視で容易に認識することができる。また前記撮影画像に加えて、診断装置などからの測定結果を表示することによって、操作者または患者は、このような測定結果を見ることもでき、さらに歯牙の状態や歯牙関連情報を目視で容易に認識することができる。
【０１４６】
また、前記上顎側歯牙列展開図および下顎側歯牙列展開図、または撮影画像に加えて、拡大歯冠画像とアイコンとを表示することによって、拡大歯冠画像で歯冠の各部位を確実に特定することができ、アイコンで所見情報を認識することができる。また拡大歯冠画像の各部位に予め定められる番号を付し、アイコンに予め定められる番号を付すことによって、歯冠の各部位の指定を数値で行うことができる。また、所見情報の入力を数値で行うことができる。
【０１４７】
また、前記上顎側歯牙列展開図、下顎側歯牙列展開図、拡大歯冠画像およびアイコンに加えて、付された番号を説明する文字列を表示することによって、このような文字列を目視して、歯冠の各部位を確実に特定することができる。また文字列に予め定められる番号を付すことによって、所見情報の入力を数値で行うことができる。
【０１４８】
また、操作パネルからの入力によって、歯牙を特定し、部位を特定し、アイコンおよび文字列を特定して所見情報を入力することができる。歯牙、歯冠の部位、アイコンおよび文字列が数値と対応付けられており、操作パネルの数値キーからの入力のみで、これらを特定することができる。操作者は、表示された画像を目視することなく、所望の部位に所見情報を入力することができ、操作性が著しく向上する。
【０１４９】
また本発明によれば、上述したような画像が表示される表示方法によって、上顎側歯牙列および下顎側歯牙列の歯牙を目盛りに沿って詳細に画像として表示することができる。また上述したような画像が表示される表示方法によって、前記歯牙を詳細に画像として表示するとともに、さらに歯牙番号、対応付けられた数値とともに拡大歯冠画像およびアイコンを表示することができ、また予め定める操作パネルからの入力によってアイコンの画像を指定した歯牙の指定した部位に挿入して表示することができる。
【０１５０】
また本発明によれば、選ばれたメイン処理やサブ処理を数値と対応付けて記憶および表示することによって、操作者は、数値を入力することで、実行する処理を指定することができ、操作パネルは少なくとも数値キーを含んで構成されればよくなる。したがって、入力操作が非常に簡単となる。また、操作者が数値キーの配列を記憶すると、表示画面を目視することなく、たとえば患者に対して治療を施しながら、すなわち歯科で用いる場合では患者の患部を見ながら、実行する処理の指定を確実に行うことができる。このため、操作性が著しく向上し、また患者への治療を確実に行うことができる。また、メイン文字列を文字列に平行に表示し、サブ文字列を文字列に直交して表示することによって、操作者はメイン処理とサブ処理とを確実に区別して認識することができる。メイン処理およびサブ処理として最大１０個の処理手順を選ぶことによって、操作パネルは数値キーとして０から９までの数値キーを有すればよい。このように１桁の数値と対応付けることによって、操作者が行う操作は非常に簡略化され、迅速な操作が可能となって、操作性が向上する。
【０１５１】
また、診査・治療処理が選択されたときに、上述したような歯牙が詳細に画像として描かれた歯牙列展開図を表示するので、操作者または患者は、このような表示を見ることによって、歯牙の状態を容易に認識することができる。また表示された歯牙番号によって、歯牙を確実に特定することができる。また詳細に歯牙番号が表示されるので、歯牙および歯牙列の特定を確実に行うことができる。
【０１５２】
また、診査・治療処理が選択されたときに、拡大歯牙画像、および対応付けられた数値と共に歯牙所見情報を画像で表す複数のアイコンを歯牙列展開図とともに表示するので、歯牙所見情報をこのような拡大歯牙画像で歯冠の部位を特定し、アイコンを見ながら対応する数値キーを操作することによって入力することができる。操作者は、表示画像を目視することなく、アイコン画像を挿入することができ、操作性が著しく向上する。アイコンデータとして最大１０個のデータを選ぶことによって、操作パネルは数値キーとして０から９までの数値キーを有すればよい。このように１桁の数値と対応付けることによって、操作者が行う操作は非常に簡略化され、迅速な操作が可能となって、操作性が向上する。また数値キーの操作によって拡大歯牙画像の歯冠の部位を特定し、数値キーの操作によって所見情報を入力することができる。操作者は、表示画像を目視することなく、歯冠の部位を特定し、アイコン画像を挿入することができ、操作性が著しく向上する。
【０１５３】
また、診査・治療処理が選択されたときに、対応付けられた数値と共に歯牙所見情報を表す複数の文字列を表示することによって、歯牙所見情報をこのような文字列を見ながら対応する数値キーを操作することによって入力することができる。この場合も、操作者は表示画像を目視せずに、所望の入力を行うことができる。また、アイコン画像でわかりにくい所見情報は、このような文字列を目視することによって、確実に入力することができる。
【０１５４】
また、診査・治療処理が選択されたときに、たとえばＸ線撮影画像や写真撮影画像などの歯牙の撮影画像を歯牙列展開図に代わって表示することによって、操作者または患者は、このような撮影画像を見ることも可能である。また診断装置からの測定結果を表示することによって、操作者または患者は、前記撮影画像に加えてこのような測定結果を見ることも可能である。
【０１５５】
また、操作パネルが有するカーソルキーによって歯牙が指定されたときに、指定された歯牙の歯牙番号を指定されなかった歯牙の番号とは異なる表示色で表示することによって、指定された歯牙とそうでない歯牙とを目視で確実に識別することができる。
【０１５６】
また、操作パネルの数値キーから数値入力によって部位が指定され、さらに展開図中の所定の歯牙の指定された部位にアイコン画像が挿入される。操作者は、このようにして歯牙の部位を特定し、アイコン画像を表示させることができ、このようなアイコンで表示された所見情報によって、たとえばう蝕の程度などを目視で容易に確認することができる。また、アイコンで表される歯牙所見情報を患者毎に所定の歯牙の指定された部位に対応付けて記憶することによって、今後の治療方針などを決定するために有効に用いることができる。また前記患者毎の所見情報を含む歯科関連情報を、記憶された順番に蓄積して記憶し、また１患者に対する全ての歯科関連情報を一括して表示することによって、歯科医師は今までの治療の履歴を知ることができるとともに、今後の治療方針などの治療計画を立てることができる。
【０１５７】
また、歯牙所見情報を、歯牙補綴情報、目視診断情報、電気的診断情報の中から選ぶことによって、このような情報を前記展開図中に表示させて、操作者または患者に認識させることができる。
【０１５８】
また登録データ有無情報を表示することによって、たとえば診査・治療処理の実行時において、受付処理を実行したときに歯がしみるなどの患者の訴えがあったかどうかを操作者は知ることができる。登録データ有無情報によって登録されたデータがあるときには、たとえば所定の操作を行うことによって、どのようなデータが登録されたかを表示して操作者に知らせることが可能である。
【０１５９】
また、医療機関内の複数の区域で操作パネルを使用することによって、たとえば受付や診察室で情報を共有して用いることができ、医療に係わる複数の処理を総合的に管理して、効率よく医療業務を遂行することが可能となる。
【図面の簡単な説明】
【図１】本発明の実施の一形態である診療支援装置１の電気的構成を示すブロック図である。
【図２】診療支援装置１が有する第１操作パネル４の外観を示す平面図である。
【図３】表示装置３に表示される表示画面１２を示す図である。
【図４】表示装置３に表示される表示画面１３を示す図である。
【図５】表示装置３に表示される表示画面２４を示す図である。
【図６】表示装置３に表示される表示画面１４を示す図である。
【図７】表示装置３に表示される表示画面１５を示す図である。
【図８】表示装置３に表示される表示画面１６を示す図である。
【図９】表示装置３に表示される表示画面１７を示す図である。
【図１０】表示装置３に表示される表示画面１８を示す図である。
【図１１】表示装置３に表示される表示画面１９を示す図である。
【図１２】図７に示されるような診査・治療エリア処理を選択した場合の動作データ編集用メモリ１０の構成を示す図である。
【図１３】メインメニュー画面２０を表示したときに実行される処理の処理手順を示すフローチャートである。
【図１４】患者の登録処理を実行するときの処理手順を示すフローチャートである。
【図１５】所見データを入力するときの処理手順を示すフローチャートである。
【図１６】診査・治療エリア処理を選択し、さらに所見入力・歯牙歯槽組織処理を選択した場合に初期に表示される表示画面６１を示す図である。
【図１７】歯牙列展開図表示領域６４を拡大して示す図である。
【図１８】アイコン表示領域６５にアイコンが表示されたときの処理手順を示すフローチャートである。
【図１９】図１６の表示画面６１中の文字列表示領域６６の「４  歯冠、義歯」を選択した場合の表示画面８９ａを示す図である。
【図２０】図１６の表示画面６１中の文字列表示領域６６の「４  歯冠、義歯」を選択した場合の表示画面８９ｂを示す図である。
【図２１】拡大歯冠画像表示領域９０を示す図である。
【図２２】アイコン画像表示領域９１を示す図である。
【図２３】図１６の表示画面６１中の文字列表示領域６６の「２  衛生、歯周組織」を選択した場合の表示画面９５ａを示す図である。
【図２４】図１６の表示画面６１中の文字列表示領域６６の「２  衛生、歯周組織」を選択した場合の表示画面９５ｂを示す図である。
【図２５】アイコン画像表示領域９６を示す図である。
【図２６】図１６の表示画面６１中の文字列表示領域６６の「３  位置、サイズ」を選択した場合の表示画面９９を示す図である。
【図２７】アイコン画像表示領域１００を示す図である。
【図２８】図１６の表示画面６１中の文字列表示領域６６の「５  画像、歯根、骨」を選択した場合の表示画面１０２を示す図である。
【図２９】図２８の表示画面１０２中の文字列表示領域６６の「２  Ｘ線像」を選択した場合の表示画面１０４ａを示す図である。
【図３０】図２８の表示画面１０２中の文字列表示領域６６の「２  Ｘ線像」を選択した場合の表示画面１０４ｂを示す図である。
【図３１】アイコン画像表示領域１０５を示す図である。
【図３２】図２９の表示画面１０４ａ中の上段アイコン表示領域１０５ａの「９  Ｘ線画像へ」を選択した場合の表示画面１０８を示す図である。
【図３３】文字列の表示を異なる言語で表示するための処理を示すフローテャートである。
【符号の説明】
１  診療支援装置
２  ＣＰＵ
３  表示装置
４  第１操作パネル
５  第２操作パネル
６  プリンタ
７  読取装置
８  動作用メモリ
９  患者情報用メモリ
１０  動作データ編集用メモリ
１１  基台
１２，１３，１４，１５，１６，１７，１８，１９，２４，６１，８９ａ，８９ｂ，９５ａ，９５ｂ，９９，１０２，１０４ａ，１０４ｂ，１０８  表示画面
２０  メインメニュー画面
２０ａ，４０，６２  タイトル表示領域
２０ｂ  メインメニュー表示領域
２０ｃ  サブメニュー画面表示領域
２１，２２，２３，２５，２６，２７，２８，２９，３０，３１，３２，３３サブメニュー画面
３４，３６，３８，４３，８８  数値表示
３５，３７，３９，４４  メニュー表示
４１  識別番号表示領域
４２  データ表示領域
４５  診断データ入力装置
４６  読取装置用メモリ
４７  診断データ入力装置用メモリ
４８  表示用画像データメモリ
４９，５０  接続端子
５１  メインメニューテーブル
５２  サブメニューテーブル
５３，５５  数値データ
５４  メイン処理データ
５６  サブ処理データ
６３  患者データ表示領域
６４  歯牙列展開図表示領域
６５  アイコン表示領域
６６  文字列表示領域
６７  報知情報表示領域
７１  上顎側歯牙列表示領域
７２  下顎側歯牙列表示領域
７３  歯牙番号表示領域
７４  頬側面画像
７５  舌側面画像
７６，７７  咬合面
７８  咬合面画像
７９  歯根画像
８０，８２，８３，８４，８５，８６  線分
８１  目盛り
８７  文字列表示
９０  拡大歯冠画像表示領域
９１，９１ａ，９１ｂ，９６，９６ａ，９６ｂ，１００，１０５，１０５ａ，１０５ｂ  アイコン画像表示領域
９２  拡大歯冠文字列表示領域
９３，９４，９７，９８，１０１，１０６，１０７  アイコン文字列表示領域
１０３  文字列表示領域
１０９  撮影画像表示領域
１０９ａ  全顎パノラマ画像表示領域
１０９ｂ，１０９ｄ  バイトウィング表示領域
１０９ｃ  ペリアピカル画像表示領域
１１０  診断装置データ表示領域
１２０  画像撮影装置
１２１  撮影画像データ用メモリ
１２２  歯科用電気的診断装置
１２３  診断データ用メモリ
Ａ０〜Ａ９  数値キー
Ａ１０〜Ａ１３  カーソルキー
Ａ１４  エンタキー
Ａ１６  ＥＳＣキー
Ａ１７  スラッシュキー
Ａ１８  ピリオドキー
Ａ１９  ファンクションキー
Ａ２０  ヘルプキー
【図１】
0003553712.tif 000008
【図２】
0003553712.tif 000009
【図３】
0003553712.tif 000010
【図４】
0003553712.tif 000011
【図５】
0003553712.tif 000012
【図６】
0003553712.tif 000013
【図７】
0003553712.tif 000014
【図８】
0003553712.tif 000015
【図９】
0003553712.tif 000016
【図１０】
0003553712.tif 000017
【図１１】
0003553712.tif 000018
【図１２】
0003553712.tif 000019
【図１３】
0003553712.tif 000020
【図１４】
0003553712.tif 000021
【図１５】
0003553712.tif 000022
【図１６】
0003553712.tif 000023
【図１７】
0003553712.tif 000024
【図１８】
0003553712.tif 000025
【図１９】
0003553712.tif 000026
【図２０】
0003553712.tif 000027
【図２１】
0003553712.tif 000028
【図２２】
0003553712.tif 000029
【図２３】
0003553712.tif 000030
【図２４】
0003553712.tif 000031
【図２５】
0003553712.tif 000032
【図２６】
0003553712.tif 000033
【図２７】
0003553712.tif 000034
【図２８】
0003553712.tif 000035
【図２９】
0003553712.tif 000036
【図３０】
0003553712.tif 000037
【図３１】
0003553712.tif 000038
【図３２】
0003553712.tif 000039
【図３３】
0003553712.tif 000040